(57)【要約】【課題】画像の濃度補正に使用する濃度パッチを記憶する記憶装置の容量を低減させることができる画像印刷装置、画像印刷方法および画像印刷プログラムを提供すること。【解決手段】  測定濃度メモリ２５ｂに記憶された基準濃度パッチＣ１からＫ５の濃度測定センサ８０による実際の各測定濃度を、対応濃度データメモリ２５ａに記憶された各設定濃度のときの各ディザマトリクスの各測定濃度として設定する。よって、各設定濃度のときの各ディザマトリクスを濃度測定センサ８０により測定することなしに、各設定濃度のときの各ディザマトリクスの各測定濃度を設定することができる。従って、従来、画像の濃度補正に必要であった各ディザマトリクスに対応して作成されていた濃度パッチを不要とすることができるので、その濃度パッチを記憶する記憶装置の容量が不要となり、記憶装置の容量を低減させることができる。【選択図】図８
2008199132.tif 000002
【特許請求の範囲】
【請求項１】
入力されるデータに基づいて画像を形成する画像形成手段と、
その画像形成手段が画像を形成するための所定の閾値がドット毎に設定されたディザデータを記憶するディザデータ記憶手段と、
そのディザデータ記憶手段に記憶されたディザデータについて、濃度補正の目標となる目標濃度を設定濃度に対応して記憶する目標濃度記憶手段と、
その目標濃度記憶手段に記憶された設定濃度に対応する目標濃度に基づいて、前記画像形成手段により形成される画像の濃度を補正する濃度補正手段とを備えた画像印刷装置において、
設定濃度毎に２値化された基準濃度パッチデータを記憶する基準濃度パッチデータ記憶手段と、
その基準濃度パッチデータ記憶手段に記憶された基準濃度パッチデータに基づいて、基準濃度パッチを前記画像形成手段に形成させ、その基準濃度パッチの濃度を前記設定濃度毎にそれぞれ測定する濃度測定手段と、
その濃度測定手段により前記基準濃度パッチが前記設定濃度毎に測定された測定濃度をそれぞれ記憶する測定濃度記憶手段と、
前記基準濃度パッチの面積率を前記設定濃度毎に記憶するパッチ面積率記憶手段と、
前記ディザデータ記憶手段に記憶されたディザデータの設定濃度を変化させた場合の前記ディザデータの面積率が前記パッチ面積率記憶手段に記憶された基準濃度パッチの１の設定濃度の面積率の所定の範囲内であるときに、そのディザデータの設定濃度を記憶する設定濃度記憶手段と、
前記測定濃度記憶手段に記憶された前記基準濃度パッチが１の設定濃度のときの測定濃度を、前記設定濃度記憶手段に記憶された設定濃度のときのディザデータの測定濃度として設定し、その設定したディザデータの測定濃度とそのディザデータに対応する前記目標濃度記憶手段に記憶された目標濃度との関係に基づいて前記画像形成手段により形成される画像の濃度を前記濃度補正手段に補正させる補正制御手段とを備えていることを特徴とする画像印刷装置。
【請求項２】
前記画像形成手段は、複数の解像度で画像を形成可能に構成され、
前記ディザデータ記憶手段に記憶されたディザデータは、前記複数の解像度毎に設けられており、
前記基準濃度パッチデータ記憶手段は、前記設定濃度毎に２値化された基準濃度パッチデータを前記複数の解像度毎に設けられたディザデータに対して１種類有していることを特徴とする請求項１記載の画像印刷装置。
【請求項３】
前記画像形成手段は、複数の色で画像を形成可能に構成され、
前記ディザデータ記憶手段に記憶されたディザデータは、前記色毎に設けられており、
前記基準濃度パッチデータ記憶手段は、前記設定濃度毎に２値化された基準濃度パッチデータを前記色毎に設けられたディザデータに対して１種類有していることを特徴とする請求項１または２に記載の画像印刷装置。
【請求項４】
前記設定濃度記憶手段は、前記ディザデータ記憶手段に記憶されたディザデータの設定濃度を変化させてそのディザデータのドットがオンとなった場合に、そのオンとなったドット数を前記ディザデータの全ドット数で除算して前記ディザデータの面積率を算出するディザ面積率算出手段を備えていることを特徴とする請求項１から３のいずれかに記載の画像印刷装置。
【請求項５】
入力されるデータに基づいて画像を形成する画像形成工程と、
その画像形成工程により画像を形成するための所定の閾値がドット毎に設定されているディザデータ記憶手段に記憶されたディザデータについて、濃度補正の目標となる設定濃度に対応する目標濃度記憶手段に記憶された目標濃度に基づいて、前記画像形成工程により形成される画像の濃度を補正する濃度補正工程とを備えた画像印刷方法において、
基準濃度パッチデータ記憶手段に記憶されている設定濃度毎に２値化された基準濃度パッチデータに基づいて、基準濃度パッチを前記画像形成工程により形成させ、その基準濃度パッチの濃度を前記設定濃度毎にそれぞれ測定する濃度測定工程と、
その濃度測定工程により前記基準濃度パッチが前記設定濃度毎に測定された測定濃度をそれぞれ記憶する測定濃度記憶工程と、
前記ディザデータ記憶手段に記憶されているディザデータの設定濃度を変化させた場合の前記ディザデータの面積率が、パッチ面積率記憶手段に記憶されている前記設定濃度毎の基準濃度パッチの面積率のうちの１の設定濃度の面積率の所定の範囲内であるときに、そのディザデータの設定濃度を記憶する設定濃度記憶工程と、
前記測定濃度記憶工程により記憶された前記基準濃度パッチが１の設定濃度のときの測定濃度を、前記設定濃度記憶工程により記憶された設定濃度のときのディザデータの測定濃度として設定し、その設定したディザデータの測定濃度とそのディザデータに対応する前記目標濃度記憶手段に記憶されている目標濃度との関係に基づいて前記画像形成工程により形成される画像の濃度を前記濃度補正工程により補正させる補正制御工程とを備えていることを特徴とする画像印刷方法。
【請求項６】
入力されるデータに基づいて画像を形成させる画像形成ステップと、
その画像形成ステップにより画像を形成させるための所定の閾値がドット毎に設定されているディザデータ記憶手段に記憶されたディザデータについて、濃度補正の目標となる設定濃度に対応する目標濃度記憶手段に記憶された目標濃度に基づいて、前記画像形成ステップにより形成させる画像の濃度を補正させる濃度補正ステップとを備えた画像印刷装置に実行させる画像印刷プログラムにおいて、
基準濃度パッチデータ記憶手段に記憶されている設定濃度毎に２値化された基準濃度パッチデータに基づいて、基準濃度パッチを前記画像形成ステップにより形成させ、その基準濃度パッチの濃度を前記設定濃度毎にそれぞれ測定させる濃度測定ステップと、
その濃度測定ステップにより前記基準濃度パッチを前記設定濃度毎に測定させた測定濃度をそれぞれ記憶させる測定濃度記憶ステップと、
前記ディザデータ記憶手段に記憶されているディザデータの設定濃度を変化させた場合の前記ディザデータの面積率が、パッチ面積率記憶手段に記憶されている前記設定濃度毎の基準濃度パッチの面積率のうちの１の設定濃度の面積率の所定の範囲内であるときに、そのディザデータの設定濃度を記憶させる設定濃度記憶ステップと、
前記測定濃度記憶ステップにより記憶させた前記基準濃度パッチが１の設定濃度のときの測定濃度を、前記設定濃度記憶ステップにより記憶させた設定濃度のときのディザデータの測定濃度として設定させ、その設定させたディザデータの測定濃度とそのディザデータに対応する前記目標濃度記憶手段に記憶されている目標濃度との関係に基づいて前記画像形成ステップにより形成させる画像の濃度を前記濃度補正ステップにより補正させる補正制御ステップとを備えていることを特徴とする画像印刷プログラム。
【発明の詳細な説明】
【技術分野】
【０００１】
本発明は画像印刷装置、画像印刷方法および画像印刷プログラムに関し、特に、画像の濃度補正に使用する濃度パッチを記憶する記憶装置の容量を低減させることができる画像印刷装置、画像印刷方法および画像印刷プログラムに関するものである。
【背景技術】
【０００２】
経時変化に起因する濃度測定誤差の発生、ロット変化に起因する濃度測定誤差の発生等を防止するために、既知濃度の試料を用いて濃度測定動作を行なわせ、濃度測定結果に基づいて画像の濃度の経時変化等を補正するキャリブレーション（画像の濃度補正）に関しては、例えば、特開２００４−１１４３４３号公報に記載の画像処理装置が知られている。
【０００３】
この画像処理装置は、設定された印刷条件に従ってテスト画像２６を印刷してキャリブレーションを行い、テスト画像２６に基づいてキャリブレーションデータ５０を取得する際に、取得するキャリブレーションデータ５０と共に、テスト画像２６の印刷条件を対応関係データ５２に記憶する。そして、画像２４を印刷する際には、画像処理装置は、オペレータに、画像２４を印刷するための印刷条件の設定及びキャリブレーションデータ５０の選択を行わせる。このときオペレータにより設定された印刷条件と、オペレータにより選択されたキャリブレーションデータ５０が取得された際の印刷条件とが不一致の場合には、画像処理装置はオペレータに警告を行うように構成されている。よって、オペレータは、この警告によって、オペレータが設定した印刷条件とキャリブレーションデータ５０を取得した際の印刷条件とが不一致であることを認識することができる。よって、この画像処理装置によれば、不適なキャリブレーションデータを用いて、オペレータの意図しない画像が印刷されるのを防止することができる。
【特許文献１】特開２００４−１１４３４３号公報
【発明の開示】
【発明が解決しようとする課題】
【０００４】
上記の画像処理装置では、テスト画像（以下、「濃度パッチ」と称す）が、印刷条件（画像の濃度、画像の色、画像の解像度等）に応じて記憶されている。これは、印刷条件が異なれば、印刷時に画像を形成するために使用されるディザデータ（画像を形成するための所定の閾値がドット毎に設定されたデータ）が異なるためである。よって、印刷条件毎に濃度パッチを変更し、その印刷条件毎に変更した濃度パッチの濃度をそれぞれ測定して、形成される画像の濃度補正を行っている。この理由から、濃度パッチの濃度が例えば５種類設定されており、画像の色が４種類であり、画像の解像度が３種類であれば、濃度パッチは６０種類（５種類の濃度×４種類の画像の色×３種類の画像の解像度）必要となる。このように、印刷条件が増加すると、それに応じてキャリブレーションに使用される濃度パッチも増加する。従って、この濃度パッチを記憶する記憶装置の容量が増大してしまうという問題点があった。
【０００５】
本発明は、上述した問題点を解決するためになされたものであり、画像の濃度補正に使用する濃度パッチを記憶する記憶装置の容量を低減させることができる画像印刷装置、画像印刷方法および画像印刷プログラムを提供することを目的としている。
【課題を解決するための手段】
【０００６】
この目的を達成するために請求項１記載の画像印刷装置は、入力されるデータに基づいて画像を形成する画像形成手段と、その画像形成手段が画像を形成するための所定の閾値がドット毎に設定されたディザデータを記憶するディザデータ記憶手段と、そのディザデータ記憶手段に記憶されたディザデータについて、濃度補正の目標となる目標濃度を設定濃度に対応して記憶する目標濃度記憶手段と、その目標濃度記憶手段に記憶された設定濃度に対応する目標濃度に基づいて、前記画像形成手段により形成される画像の濃度を補正する濃度補正手段とを備えたものであり、設定濃度毎に２値化された基準濃度パッチデータを記憶する基準濃度パッチデータ記憶手段と、その基準濃度パッチデータ記憶手段に記憶された基準濃度パッチデータに基づいて、基準濃度パッチを前記画像形成手段に形成させ、その基準濃度パッチの濃度を前記設定濃度毎にそれぞれ測定する濃度測定手段と、その濃度測定手段により前記基準濃度パッチが前記設定濃度毎に測定された測定濃度をそれぞれ記憶する測定濃度記憶手段と、前記基準濃度パッチの面積率を前記設定濃度毎に記憶するパッチ面積率記憶手段と、前記ディザデータ記憶手段に記憶されたディザデータの設定濃度を変化させた場合の前記ディザデータの面積率が前記パッチ面積率記憶手段に記憶された基準濃度パッチの１の設定濃度の面積率の所定の範囲内であるときに、そのディザデータの設定濃度を記憶する設定濃度記憶手段と、前記測定濃度記憶手段に記憶された前記基準濃度パッチが１の設定濃度のときの測定濃度を、前記設定濃度記憶手段に記憶された設定濃度のときのディザデータの測定濃度として設定し、その設定したディザデータの測定濃度とそのディザデータに対応する前記目標濃度記憶手段に記憶された目標濃度との関係に基づいて前記画像形成手段により形成される画像の濃度を前記濃度補正手段に補正させる補正制御手段とを備えている。
【０００７】
請求項２記載の画像印刷装置は、請求項１記載の画像印刷装置において、前記画像形成手段は、複数の解像度で画像を形成可能に構成され、前記ディザデータ記憶手段に記憶されたディザデータは、前記複数の解像度毎に設けられており、前記基準濃度パッチデータ記憶手段は、前記設定濃度毎に２値化された基準濃度パッチデータを前記複数の解像度毎に設けられたディザデータに対して１種類有しているものである。
【０００８】
請求項３記載の画像印刷装置は、請求項１または２に記載の画像印刷装置において、前記画像形成手段は、複数の色で画像を形成可能に構成され、前記ディザデータ記憶手段に記憶されたディザデータは、前記色毎に設けられており、前記基準濃度パッチデータ記憶手段は、前記設定濃度毎に２値化された基準濃度パッチデータを前記色毎に設けられたディザデータに対して１種類有しているものである。
【０００９】
請求項４記載の画像印刷装置は、請求項１から３のいずれかに記載の画像印刷装置において、前記設定濃度記憶手段は、前記ディザデータ記憶手段に記憶されたディザデータの設定濃度を変化させてそのディザデータのドットがオンとなった場合に、そのオンとなったドット数を前記ディザデータの全ドット数で除算して前記ディザデータの面積率を算出するディザ面積率算出手段を備えている。
【００１０】
請求項５記載の画像印刷方法は、入力されるデータに基づいて画像を形成する画像形成工程と、その画像形成工程により画像を形成するための所定の閾値がドット毎に設定されているディザデータ記憶手段に記憶されたディザデータについて、濃度補正の目標となる設定濃度に対応する目標濃度記憶手段に記憶された目標濃度に基づいて、前記画像形成工程により形成される画像の濃度を補正する濃度補正工程とを備えた方法であり、基準濃度パッチデータ記憶手段に記憶されている設定濃度毎に２値化された基準濃度パッチデータに基づいて、基準濃度パッチを前記画像形成工程により形成させ、その基準濃度パッチの濃度を前記設定濃度毎にそれぞれ測定する濃度測定工程と、その濃度測定工程により前記基準濃度パッチが前記設定濃度毎に測定された測定濃度をそれぞれ記憶する測定濃度記憶工程と、前記ディザデータ記憶手段に記憶されているディザデータの設定濃度を変化させた場合の前記ディザデータの面積率が、パッチ面積率記憶手段に記憶されている前記設定濃度毎の基準濃度パッチの面積率のうちの１の設定濃度の面積率の所定の範囲内であるときに、そのディザデータの設定濃度を記憶する設定濃度記憶工程と、前記測定濃度記憶工程により記憶された前記基準濃度パッチが１の設定濃度のときの測定濃度を、前記設定濃度記憶工程により記憶された設定濃度のときのディザデータの測定濃度として設定し、その設定したディザデータの測定濃度とそのディザデータに対応する前記目標濃度記憶手段に記憶されている目標濃度との関係に基づいて前記画像形成工程により形成される画像の濃度を前記濃度補正工程により補正させる補正制御工程とを備えている。
【００１１】
請求項６記載の画像印刷プログラムは、入力されるデータに基づいて画像を形成させる画像形成ステップと、その画像形成ステップにより画像を形成させるための所定の閾値がドット毎に設定されているディザデータ記憶手段に記憶されたディザデータについて、濃度補正の目標となる設定濃度に対応する目標濃度記憶手段に記憶された目標濃度に基づいて、前記画像形成ステップにより形成させる画像の濃度を補正させる濃度補正ステップとを備えた画像印刷装置に実行させるプログラムであり、基準濃度パッチデータ記憶手段に記憶されている設定濃度毎に２値化された基準濃度パッチデータに基づいて、基準濃度パッチを前記画像形成ステップにより形成させ、その基準濃度パッチの濃度を前記設定濃度毎にそれぞれ測定させる濃度測定ステップと、その濃度測定ステップにより前記基準濃度パッチを前記設定濃度毎に測定させた測定濃度をそれぞれ記憶させる測定濃度記憶ステップと、前記ディザデータ記憶手段に記憶されているディザデータの設定濃度を変化させた場合の前記ディザデータの面積率が、パッチ面積率記憶手段に記憶されている前記設定濃度毎の基準濃度パッチの面積率のうちの１の設定濃度の面積率の所定の範囲内であるときに、そのディザデータの設定濃度を記憶させる設定濃度記憶ステップと、前記測定濃度記憶ステップにより記憶させた前記基準濃度パッチが１の設定濃度のときの測定濃度を、前記設定濃度記憶ステップにより記憶させた設定濃度のときのディザデータの測定濃度として設定させ、その設定させたディザデータの測定濃度とそのディザデータに対応する前記目標濃度記憶手段に記憶されている目標濃度との関係に基づいて前記画像形成ステップにより形成させる画像の濃度を前記濃度補正ステップにより補正させる補正制御ステップとを備えている。
【発明の効果】
【００１２】
請求項１記載の画像印刷装置によれば、画像の濃度補正を行う際には、基準濃度パッチデータ記憶手段に記憶された設定濃度毎に２値化された基準濃度パッチデータに基づき、基準濃度パッチを設定濃度毎に画像形成手段に形成させ、その形成した基準濃度パッチを濃度測定手段により設定濃度毎にそれぞれ測定する。基準濃度毎に測定された基準濃度パッチの各測定濃度は、基準濃度パッチの設定濃度毎に測定濃度記憶手段に記憶される。また、設定濃度記憶手段は、ディザデータの設定濃度を変化させて、即ち、ディザデータの面積率を変化させて、そのディザデータの面積率が基準濃度パッチの１の設定濃度の面積率の所定の範囲内となったときのディザデータの設定濃度を記憶する。そして、補正制御手段は、測定濃度記憶手段に記憶された１の設定濃度の基準濃度パッチの濃度測定手段による実際の測定濃度を、設定濃度記憶手段に記憶された設定濃度のときのディザデータ（基準濃度パッチの１の設定濃度の面積率の所定の範囲内となったときの設定濃度のディザデータ）の測定濃度として設定する。これにより、設定濃度記憶手段に記憶された設定濃度のときのディザデータ（基準濃度パッチの１の設定濃度の面積率の所定の範囲内となったときの設定濃度のディザデータ）を濃度測定手段により測定することなしに、設定濃度記憶手段に記憶された設定濃度のときのディザデータの測定濃度を設定することができる。このようにして、補正制御手段により設定したディザデータの設定濃度に対応する測定濃度と、目標濃度記憶手段に記憶された設定濃度に対応する目標濃度との関係に基づいて、濃度補正手段は、画像形成手段により形成される画像の濃度を補正する。このように、基準濃度パッチを画像形成手段により形成し、その形成した基準濃度パッチを濃度測定手段で測定することで、従来のようにディザデータに対応して作成される濃度パッチを画像形成手段により形成し、その形成した濃度パッチを濃度測定手段で測定することなく、画像の濃度補正を行うことができる。よって、従来、画像の濃度補正に必要であったディザデータに対応して作成される濃度パッチを不要とすることができる。従って、ディザデータに対応して作成される濃度パッチを記憶する記憶装置の容量が不要となり、記憶装置の容量を低減させることができるという効果がある。
【００１３】
請求項２記載の画像印刷装置によれば、請求項１記載の画像印刷装置の奏する効果に加え、ディザデータ記憶手段に記憶されたディザデータは複数の解像度毎に設けられているのに対し、基準濃度パッチデータ記憶手段に記憶された基準濃度パッチデータは１種類である。よって、画像形成手段が画像を形成するために使用するディザデータが、形成する画像の解像度毎に複数設けられていたとしても、画像の濃度補正を１種類の基準濃度パッチのみを使用して実行することができる。これにより、従来、複数の解像度毎のディザデータに対応して作成されていた濃度パッチを不要とすることができる。従って、複数の解像度毎のディザデータに対応して作成されていた濃度パッチを記憶する記憶装置の容量が不要となり、記憶装置の容量を低減させることができるという効果がある。また、画像の濃度補正の際には、１種類の基準濃度パッチを画像形成手段により形成し、その形成した１種類の基準濃度パッチを濃度測定手段により測定すれば良いので、従来のように複数の解像度毎のディザデータに対応して作成される濃度パッチを画像形成手段により複数の解像度毎に形成し、その形成した複数の解像度毎の濃度パッチを濃度測定手段によりそれぞれ測定する必要がないので、画像の濃度補正に費やす時間を短縮することができるという効果がある。
【００１４】
請求項３記載の画像印刷装置によれば、請求項１または２に記載の画像印刷装置の奏する効果に加え、ディザデータ記憶手段に記憶されたディザデータは色毎に設けられているのに対し、基準濃度パッチデータ記憶手段に記憶された基準濃度パッチデータは１種類である。よって、画像形成手段が画像を形成するために使用するディザデータが、形成する画像の色毎に設けられていたとしても、画像の濃度補正を１種類の基準濃度パッチのみを使用して実行することができる。これにより、従来、色毎のディザデータに対応して作成されていた濃度パッチを不要とすることができる。従って、色毎のディザデータに対応して作成されていた濃度パッチを記憶する記憶装置の容量が不要となり、記憶装置の容量を低減させることができるという効果がある。また、画像の濃度補正の際には、１種類の基準濃度パッチを画像形成手段により形成し、その形成した１種類の基準濃度パッチを濃度測定手段により測定すれば良いので、従来のように色毎のディザデータに対応して作成される濃度パッチを画像形成手段により色毎に形成し、その形成した色毎の濃度パッチを濃度測定手段によりそれぞれ測定する必要がないので、画像の濃度補正に費やす時間を短縮することができるという効果がある。
【００１５】
請求項４記載の画像印刷装置によれば、請求項１から３のいずれかに記載の画像印刷装置の奏する効果に加え、ディザ面積率算出手段を備えているので、設定濃度記憶手段がディザデータの設定濃度を変化させてそのディザデータのドットがオンとなった場合に、そのオンとなったドット数をディザデータの全ドット数で除算してディザデータの面積率を算出ことができる。よって、ディザデータの面積率を複雑な処理を行うことなく、簡易に算出することができるという効果がある。
【００１６】
請求項５記載の画像印刷方法によれば、画像の濃度補正を行う際には、基準濃度パッチデータ記憶手段に記憶された設定濃度毎に２値化された基準濃度パッチデータに基づき、基準濃度パッチを設定濃度毎に画像形成工程により形成し、その形成した基準濃度パッチを濃度測定工程により設定濃度毎にそれぞれ測定する。基準濃度毎に測定された基準濃度パッチの各測定濃度は、測定濃度記憶工程により基準濃度パッチの設定濃度毎に記憶される。また、設定濃度記憶工程は、ディザデータの設定濃度を変化させて、即ち、ディザデータの面積率を変化させて、そのディザデータの面積率が基準濃度パッチの１の設定濃度の面積率の所定の範囲内となったときのディザデータの設定濃度を記憶する。そして、補正制御工程は、測定濃度記憶工程により記憶された１の設定濃度の基準濃度パッチの濃度測定工程による実際の測定濃度を、設定濃度記憶工程により記憶された設定濃度のときのディザデータ（基準濃度パッチの１の設定濃度の面積率の所定の範囲内となったときの設定濃度のディザデータ）の測定濃度として設定する。これにより、設定濃度記憶工程により記憶された設定濃度のときのディザデータ（基準濃度パッチの１の設定濃度の面積率の所定の範囲内となったときの設定濃度のディザデータ）を濃度測定工程により測定することなしに、設定濃度記憶工程により記憶された設定濃度のときのディザデータの測定濃度を設定することができる。このようにして、補正制御工程により設定したディザデータの設定濃度に対応する測定濃度と、目標濃度記憶手段に記憶された設定濃度に対応する目標濃度との関係に基づいて、濃度補正工程は、画像形成工程により形成される画像の濃度を補正する。このように、基準濃度パッチを画像形成工程により形成し、その形成した基準濃度パッチを濃度測定工程により測定することで、従来のようにディザデータに対応して作成される濃度パッチを画像形成工程により形成し、その形成した濃度パッチを濃度測定工程により測定することなく、画像の濃度補正を行うことができる。よって、従来、画像の濃度補正に必要であったディザデータに対応して作成されていた濃度パッチを不要とすることができる。従って、ディザデータに対応して作成されていた濃度パッチを記憶する記憶装置の容量が不要となり、記憶装置の容量を低減させることができるという効果がある。
【００１７】
請求項６記載の画像印刷プログラムによれば、画像の濃度補正を行う際には、基準濃度パッチデータ記憶手段に記憶された設定濃度毎に２値化された基準濃度パッチデータに基づき、基準濃度パッチを設定濃度毎に画像形成ステップにより形成させ、その形成させた基準濃度パッチを濃度測定ステップにより設定濃度毎にそれぞれ測定させる。基準濃度毎に測定させた基準濃度パッチの各測定濃度を、測定濃度記憶ステップにより基準濃度パッチの設定濃度毎に記憶させる。また、設定濃度記憶ステップは、ディザデータの設定濃度を変化させて、即ち、ディザデータの面積率を変化させて、そのディザデータの面積率が基準濃度パッチの１の設定濃度の面積率の所定の範囲内となったときのディザデータの設定濃度を記憶させる。そして、補正制御ステップは、測定濃度記憶ステップにより記憶させた１の設定濃度の基準濃度パッチの濃度測定ステップによる実際の測定濃度を、設定濃度記憶ステップにより記憶させた設定濃度のときのディザデータ（基準濃度パッチの１の設定濃度の面積率の所定の範囲内となったときの設定濃度のディザデータ）の測定濃度として設定させる。これにより、設定濃度記憶ステップにより記憶させた設定濃度のときのディザデータ（基準濃度パッチの１の設定濃度の面積率の所定の範囲内となったときの設定濃度のディザデータ）を濃度測定ステップにより測定させることなしに、設定濃度記憶ステップにより記憶させた設定濃度のときのディザデータの測定濃度を設定させることができる。このようにして、補正制御ステップにより設定させたディザデータの設定濃度に対応する測定濃度と、目標濃度記憶手段に記憶された設定濃度に対応する目標濃度との関係に基づいて、濃度補正ステップは、画像形成ステップにより形成させる画像の濃度を補正させる。このように、基準濃度パッチを画像形成ステップにより形成させ、その形成させた基準濃度パッチを濃度測定ステップにより測定させることで、従来のようにディザデータに対応して作成される濃度パッチを画像形成ステップにより形成させ、その形成させた濃度パッチを濃度測定ステップにより測定させることなく、画像の濃度補正を行うことができる。よって、従来、画像の濃度補正に必要であったディザデータに対応して作成されていた濃度パッチを不要とすることができる。従って、ディザデータに対応して作成されていた濃度パッチを記憶する記憶装置の容量が不要となり、記憶装置の容量を低減させることができるという効果がある。
【発明を実施するための最良の形態】
【００１８】
以下、本発明の一実施形態を、図面に基づいて説明する。図１は、カラーレーザープリンタ１の縦断面を示した縦断面図である。カラーレーザープリンタ１は、４つの画像形成ユニット２０（画像形成ユニット２０Ｃ，２０Ｍ，２０Ｙ，２０Ｋ）が水平方向に並んで配設される横置きタイプのタンデム方式のプリンタであり、給紙装置９と、画像形成装置４と、画像が形成された記録用紙３を排紙する排紙装置６と、カラーレーザープリンタ１を制御する制御装置９０とを主に有している。
【００１９】
給紙装置９は、記録用紙３を給紙する装置であり、本体ケーシング５内の底部に配設される。給紙装置９は、本体ケーシング５に対して前側（図１の左側）から着脱自在に装着される給紙トレイ１２と、その給紙トレイ１２の後側一端上方に設けられる給紙ローラ８３と、その給紙ローラ８３の後側であって、給紙ローラ８３に対して記録用紙３の搬送方向下流側に設けられる搬送ローラ１４ａ，１４ｂとを有している。
【００２０】
給紙トレイ１２内には、記録用紙３が積み重ねられており、最上部にある記録用紙３は、給紙ローラ８３の回転により搬送ローラ１４ａ，１４ｂに向けて移動する。搬送ローラ１４ａから排出された記録用紙３は、搬送ガイド１５に沿って搬送ローラ１４ｂへ搬送される。搬送ローラ１４ｂに搬送された記録用紙３は、搬送ローラ１４ｂから排出され、搬送ベルト６８と各感光体ドラム６２Ｃとの間に順次搬送される。
【００２１】
画像形成装置４は、給紙された記録用紙３に画像を形成する装置であり、本体ケーシング５内の中間部に配設される。画像形成装置４は、画像を形成する４つの画像形成ユニット２０Ｙ，２０Ｍ，２０Ｃ，２０Ｋと、各画像形成ユニット２０（画像形成ユニット２０Ｙ，２０Ｍ，２０Ｃ，２０Ｋ）で形成された画像を記録用紙３に転写する転写装置１７と、記録用紙３に転写された画像を加熱・加圧して記録用紙３に定着させる定着装置８とを有している。ここで、上記Ｃ，Ｍ，Ｙ，Ｋの添え字は、それぞれシアン（Ｃ）、マゼンタ（Ｍ）、イエロー（Ｙ）、ブラック（Ｋ）の各色を表している。
【００２２】
制御装置９０は、カラーレーザープリンタ１を制御するための装置であり、給紙装置９の上部に配設される。制御装置９０は、カラーレーザープリンタ１の装置各部を統括制御する。なお、制御装置９０については、図２にて詳述する。
【００２３】
各画像形成ユニット２０（画像形成ユニット２０Ｃ，２０Ｍ，２０Ｙ，２０Ｋ）は、像担持体としての感光体ドラム６２Ｃ，６２Ｍ，６２Ｙ，６２Ｋと、感光体ドラム６２Ｃ，６２Ｍ，６２Ｙ，６２Ｋをそれぞれ帯電させる帯電器３１Ｃ，３１Ｍ，３１Ｙ，３１Ｋと、感光体ドラム６２Ｃ，６２Ｍ，６２Ｙ，６２Ｋにそれぞれ静電潜像を形成する露光ユニット４１Ｃ，４１Ｍ，４１Ｙ，４１Ｋと、現像ユニット５１Ｙ，５１Ｍ，５１Ｃ，５１Ｋとをそれぞれ有している。
【００２４】
帯電器３１Ｃ，３１Ｍ，３１Ｙ，３１Ｋは、例えば、タングステン等からなる帯電用ワイヤからコロナ放電を発生させて、感光体ドラム６２Ｃ，６２Ｍ，６２Ｙ，６２Ｋの各表面を一様に正極性に帯電させるスコロトン型の帯電器である。露光ユニット４１Ｃ，４１Ｍ，４１Ｙ，４１Ｋは、レーザー光を照射するレーザー発振器（図示せず）等から構成されている。この露光ユニット４１Ｃ，４１Ｍ，４１Ｙ，４１Ｋは、レーザー発振器から発光されるレーザー光をポリゴンミラー（図示せず）で反射させ、その反射させたレーザー光を感光体ドラム６２Ｃ，６２Ｍ，６２Ｙ，６２Ｋに照射する。感光体ドラム６２Ｃ，６２Ｍ，６２Ｙ，６２Ｋのレーザー光が照射された各部分は、帯電が解消される。これにより、感光体ドラム６２Ｃ，６２Ｍ，６２Ｙ，６２Ｋの各表面には、正極性に帯電した部分と帯電が解消された部分とが形成され、感光体ドラム６２Ｃ，６２Ｍ，６２Ｙ，６２Ｋの各表面に静電潜像を形成することができる。
【００２５】
現像ユニット５１Ｃ，５１Ｍ，５１Ｙ，５１Ｋに収容されたトナーは、後述する現像ローラ５２Ｃ，５２Ｍ，５２Ｙ，５２Ｋに印加された正の電圧である現像バイアスにより正極性に帯電しているので、感光体ドラム６２Ｃ，６２Ｍ，６２Ｙ，６２Ｋの各表面の帯電が解消された部分に付着することになる。これにより、感光体ドラム６２Ｃ，６２Ｍ，６２Ｙ，６２Ｋの各表面には、トナー像が形成される。なお、露光ユニット４１Ｃ，４１Ｍ，４１Ｙ，４１Ｋは、レーザー光ではなく、ＬＥＤアレイを照射することにより露光を行うものであってもよい。
【００２６】
現像ユニット５１Ｃ，５１Ｍ，５１Ｙ，５１Ｋは、感光体ドラム６２Ｃ，６２Ｍ，６２Ｙ，６２Ｋに現像剤としてのトナーを付着させ、トナー像を形成させるためのユニットであり、現像ケーシング５５Ｃ，５５Ｍ，５５Ｙ，５５Ｋ内に、ホッパ５６Ｃ，５６Ｍ，５６Ｙ，５６Ｋと、供給ローラ３２Ｃ，３２Ｍ，３２Ｙ，３２Ｋと、現像ローラ５２Ｃ，５２Ｍ，５２Ｙ，５２Ｋとをそれぞれ有している。ホッパ５６Ｃ，５６Ｍ，５６Ｙ，５６Ｋは、現像ケーシング５５Ｃ，５５Ｍ，５５Ｙ，５５Ｋの内部空間として形成され、画像形成ユニット２０Ｃ，２０Ｍ，２０Ｙ，２０Ｋ毎に、シアン色、マゼンタ色、イエロー色、ブラックのトナーがそれぞれ収容されている。なお、４つの各画像形成ユニット２０Ｃ，２０Ｍ，２０Ｙ，２０Ｋは、収容されるトナーの色が異なるのみで、各構造は同じである。
【００２７】
供給ローラ３２Ｃ，３２Ｍ，３２Ｙ，３２Ｋは、収容された各トナーを現像ローラ５２Ｃ，５２Ｍ，５２Ｙ，５２Ｋに付着させるためのローラであり、それぞれホッパ５６Ｃ，５６Ｍ，５６Ｙ，５６Ｋの下方側に配設される。供給ローラ３２Ｃ，３２Ｍ，３２Ｙ，３２Ｋは、各金属製のローラ軸に、導電性のスポンジ部材からなるローラ部分が被覆されている。この供給ローラ３２Ｃ，３２Ｍ，３２Ｙ，３２Ｋは、現像ローラ５２Ｃ，５２Ｍ，５２Ｙ，５２Ｋと対向接触するニップ部分において、現像ローラ５２Ｃ，５２Ｍ，５２Ｙ，５２Ｋと逆方向に回転するように回転可能に支持されている。
【００２８】
現像ローラ５２Ｃ，５２Ｍ，５２Ｙ，５２Ｋは、感光体ドラム６２Ｃ，６２Ｍ，６２Ｙ，６２Ｋに各トナーを付着させるためのローラであり、供給ローラ３２Ｃ，３２Ｍ，３２Ｙ，３２Ｋと互いに対向接触する位置に配設される。現像ローラ５２Ｃ，５２Ｍ，５２Ｙ，５２Ｋは、各金属製のローラ軸に、導電性のゴム材料などの弾性部材からなるローラ部が被覆されており、それぞれ正の電圧である現像バイアス電圧が印加されている。よって、感光体ドラム６２Ｃ，６２Ｍ，６２Ｙ，６２Ｋに付着させる各トナーを正極性に帯電させることができる。
【００２９】
転写装置１７は、感光体ドラム６２Ｃ，６２Ｍ，６２Ｙ，６２Ｋと対向するように設けられ、搬送ベルト駆動ローラ６３と、搬送ベルト従動ローラ６４と、エンドレスベルトである搬送ベルト６８と、転写ローラ６１Ｃ，６１Ｍ，６１Ｙ，６１Ｋとを有している。
【００３０】
搬送ベルト駆動ローラ６３は、搬送ベルト６８を矢印ａの方向に移動させるためのローラであり、モータ（図示せず）により矢印ａの方向に回転駆動する。搬送ベルト従動ローラ６４は、搬送ベルト６８を矢印ａの方向に移動させるためのローラであり、搬送ベルト駆動ローラ６３の回転駆動によって搬送ベルト６８が矢印ａ方向に周回移動すると、その周回移動に追従して回転駆動する。搬送ベルト６８は、記録用紙３を矢印ａ方向に搬送するためのベルトであり、搬送ベルト駆動ローラ６３と搬送ベルト従動ローラ６４との間に巻回され、外側の面が画像形成ユニット２０Ｃ，２０Ｍ，２０Ｙ，２０Ｋの全ての感光体ドラム６２Ｃ，６２Ｍ，６２Ｙ，６２Ｋと接触するように配設される。
【００３１】
なお、搬送ベルト６８には、図２に示すＰＣ１２５からディザマトリクスデータが送信され、カラーレーザープリンタ１に記憶されるディザマトリクスが変更された場合に、図１２に示す基準濃度パッチＣ１からＫ５が形成される。搬送ベルト６８に形成された基準濃度パッチＣ１からＫ５は、後述する濃度測定センサ８０で濃度がそれぞれ測定され、その測定された濃度パッチＣ１からＫ５のそれぞれの濃度を用いて、カラーレーザープリンタ１は、キャリブレーションを実行する。
【００３２】
転写ローラ６１Ｃ，６１Ｍ，６１Ｙ，６１Ｋは、感光体ドラム６２Ｃ，６２Ｍ，６２Ｙ，６２Ｋに担持されている各トナー像を記録用紙３に転写させるためのローラであり、巻回されている搬送ベルト６８の内側において、画像形成ユニット２０Ｃ，２０Ｍ，２０Ｙ，２０Ｋの各感光体ドラム６２Ｃ，６２Ｍ，６２Ｙ，６２Ｋと、搬送ベルト６８を挟んで対向するようにそれぞれ配設されている。転写ローラ６１Ｃ，６１Ｍ，６１Ｙ，６１Ｋは、各金属製のローラ軸に、導電性のゴム材などの弾性部材からなるローラ部分が被覆されている。この転写ローラ６１Ｃ，６１Ｍ，６１Ｙ，６１Ｋには、各感光体ドラム６２Ｃ，６２Ｍ，６２Ｙ，６２Ｋに担持されているトナー像を記録用紙３に転写させる際に、負の電圧が印加される。これは、感光体ドラム６２Ｃ，６２Ｍ，６２Ｙ，６２Ｋに担持されている各トナーは正極性に帯電しているので、転写ローラ６１Ｃ，６１Ｍ，６１Ｙ，６１Ｋに負の電圧を印加すれば、この正極性に帯電している各トナーを記録用紙３に転写させることができるためである。
【００３３】
定着装置８は、記録用紙３に転写したトナーを加熱すると共に加圧して熱定着させるための装置であり、画像形成ユニット２０Ｃ，２０Ｍ，２０Ｙ，２０Ｋ及び転写装置１７に対して記録用紙３の搬送方向下流側に配設される。定着装置８は、加熱ローラ８１および押圧ローラ８２を有している。加熱ローラ８１は、その表面に離型層が形成される金属素管からなり、その軸方向に沿ってハロゲンランプ（図示せず）が内装されている。このハロゲンランプにより加熱ローラ８１の表面がトナー定着温度に加熱される。押圧ローラ８２は、加熱ローラ８１を押圧するように配設される。この加熱ローラ８１と押圧ローラ８２との間をトナーが転写された記録用紙３が通過することにより、転写されたトナーが記録用紙３に熱定着される。
【００３４】
排紙装置６は、トナーが熱定着された記録用紙３を排紙トレイ１０に排出するための装置であり、定着装置８に対して記録用紙３の搬送方向下流側に配設される。排紙装置６は、記録用紙３を排紙トレイ１０に排出する一対の排紙ローラ１１と、その排紙ローラ１１に対して記録用紙３の搬送方向下流側に配設され、トナーが熱定着された記録用紙３を蓄積する排紙トレイ１０とを有している。
【００３５】
濃度測定センサ８０は、搬送ベルト６８に形成された濃度パッチＣ１からＫ５の濃度をそれぞれ測定するためのセンサであり、搬送ベルト駆動ローラ６３の斜め下に、搬送ベルト６８の外側表面と対向して配設される。
【００３６】
クリーナーブラシ１０５は、搬送ベルト６８上に付着したトナー（例えば濃度パッチＣ１からＫ５等）を電気的に掻き取るブラシであり、搬送ベルト６８の外側表面に接するように配設される。トナー回収ローラ１０６は、クリーナーブラシ１０５が掻き取ったトナーを付着させるローラである。このトナー回収ローラ１０６に付着したトナーは、掻取ブレード１０６ａによって掻き取られ、掻き取られたトナーは、トナー回収器１０７に回収される。
【００３７】
操作キー１０８は、カラーレーザープリンタ１に所望の指令を入力するための装置であり、排紙ローラ１１の上部に配設される。表示装置１０９は、カラーレーザープリンタ１の処理状態やユーザへのメッセージを表示するための装置であり、排紙ローラ１１の上部に配設される。
【００３８】
次に、図２を参照してカラーレーザープリンタ１の電気的構成について説明する。図２は、カラーレーザープリンタ１の電気的構成を示すブロック図である。図２に示すように、カラーレーザープリンタ１は、装置各部を統括制御する制御装置９０を有し、制御装置９０を構成するＡＳＩＣ２６は、各画像形成ユニット２０（画像形成ユニット２０Ｃ，２０Ｍ，２０Ｙ，２０Ｋ）、給紙ローラ８３、搬送ローラ１４ａ，１４ｂ、搬送ベルト駆動ローラ６３、転写ローラ６１、加熱ローラ８１、押圧ローラ８２、排紙ローラ１１、濃度測定センサ８０、パネルゲートアレイ（以下、「パネルＧＡ」と称す）１０８ａ、表示装置コントローラ１０９ａにそれぞれ接続されている。
【００３９】
制御装置９０は、ＣＰＵ２２と、ＲＯＭ２３と、フラッシュメモリ２４と、ＲＡＭ２５と、ＡＳＩＣ２６と、ネットワークインターフェース(以下、「ネットワークＩ／Ｆ」と称す）２８を有している。ＣＰＵ２２、ＲＯＭ２３、フラッシュメモリ２４と、ＲＡＭ２５、およびネットワークＩ／Ｆ２８は、バスラインを介してそれぞれＡＳＩＣ２６と接続されている。
【００４０】
ＣＰＵ２２は、ＲＯＭ２３に記憶された各種プログラムを実行するマイクロプロセッサであり、ＲＯＭ２３は、ＣＰＵ２２により実行される各種プログラム（例えば、図５から図１０に示すフローチャートのプログラム）や、そのプログラムを実行する際に参照する定数やテーブルを記憶する読み出し専用のメモリである。フラッシュメモリ２４は、電源投入状態において、各種のデータを記憶するための書換可能なメモリであると共に、電源遮断後においても、その内容を保持可能なメモリである。ＲＡＭ２５は、ＣＰＵ２２が各種プログラムを実行する際、変数などを一時記憶するワークエリアを有するメモリである。
【００４１】
ＲＯＭ２３は、制御プログラムである濃度補正プログラムを記憶する濃度補正プログラムメモリ２３ａを有している。
【００４２】
濃度補正プログラムメモリ２３ａは、制御プログラムである濃度補正プログラムを記憶するメモリである。具体的には、濃度補正プログラムメモリ２３ａには、ＣＰＵ２２が実行する図５から図１０に示すフローチャートのプログラムが記憶されている。
【００４３】
次に、図３を参照してフラッシュメモリ２４の内容について説明する。図３はフラッシュメモリ２４の内容を示した図である。フラッシュメモリ２４は、基準濃度パッチデータメモリ２４ａと、基準濃度パッチ面積率メモリ２４ｂと、ディザマトリクスメモリ２４ｃと、補正テーブルメモリ２４ｄとを有している。
【００４４】
基準濃度パッチデータメモリ２４ａは、図１２に示す基準濃度パッチＣ１からＫ５を搬送ベルト６８（図１参照）に形成するための基準濃度パッチデータを記憶するメモリである。ここで、図１１を参照して、基準濃度パッチデータメモリ２４ａに記憶される基準濃度パッチデータについて説明する。図１１（ａ）は、基準濃度パッチデータメモリ２４ａの内容のうち、基準濃度パッチ名、基準濃度パッチの設定濃度および形成色を示した図であり、図１１（ｂ）は、基準濃度パッチデータメモリ２４ａの内容のうち、基準濃度パッチＣ１からＫ５の形成パターンＰ１からＰ５を示した図である。
【００４５】
図１１（ａ）および図１１（ｂ）に示すように、基準濃度パッチデータは、基準濃度パッチ名、基準濃度パッチの設定濃度、形成色および形成パターンの４つから構成されている。図１１（ａ）に示すように、基準濃度パッチの設定濃度および形成色の情報は、基準濃度パッチ名に対応して記憶されているので、基準濃度パッチデータは、計２０種類の情報から構成されている。
【００４６】
基準濃度パッチ名は、形成する基準濃度パッチＣ１からＫ５の各名称を示している。本実施形態では、基準濃度パッチ名は基準濃度パッチＣ１から基準濃度パッチＫ５までの計２０である。
【００４７】
基準濃度パッチの設定濃度は、基準濃度パッチＣ１からＫ５を搬送ベルト６８（図１参照）に形成する濃度を示している。この基準濃度パッチＣ１からＫ５の設定濃度が高くなれば（最小０％、最大１００％）、搬送ベルト６８に形成される濃度が高くなる。一方、基準濃度パッチＣ１からＫ５の設定濃度が低くなれば、搬送ベルト６８に形成される濃度が低くなる。
【００４８】
本実施形態では、設定濃度は２０％、４０％、６０％、８０％、１００％の計５つであり、基準濃度パッチＣ１，Ｍ１，Ｙ１，Ｋ１は設定濃度が２０％に設定されている。また、基準濃度パッチＣ２，Ｍ２，Ｙ２，Ｋ２は設定濃度が４０％に、基準濃度パッチＣ３，Ｍ３，Ｙ３，Ｋ３は設定濃度が６０％に、基準濃度パッチＣ４，Ｍ４，Ｙ４，Ｋ４は設定濃度が８０％に、基準濃度パッチＣ５，Ｍ５，Ｙ５，Ｋ５は設定濃度が１００％にそれぞれ設定されている。なお、基準濃度パッチＣ１からＫ５の各設定濃度は固定値である。
【００４９】
形成色は、基準濃度パッチＣ１からＫ５を搬送ベルト６８（図１参照）に形成する色を示している。本実施形態では、基準濃度パッチＣ１，Ｃ２，Ｃ３，Ｃ４，Ｃ５は形成色がシアンに設定されている。また、基準濃度パッチＭ１，Ｍ２，Ｍ３，Ｍ４，Ｍ５は形成色がマゼンタに設定され、基準濃度パッチＹ１，Ｙ２，Ｙ３，Ｙ４，Ｙ５は形成色がイエローに設定され、基準濃度パッチＫ１，Ｋ２，Ｋ３，Ｋ４，Ｋ５は形成色がブラックに設定されている。
【００５０】
図１１（ｂ）に示すように、基準濃度パッチＣ１からＫ５は、設定濃度毎に搬送ベルト６８（図１参照）に形成される形成パターンが異なっている。設定濃度が２０％である基準濃度パッチＣ１，Ｍ１，Ｙ１，Ｋ１の形成パターンはＰ１であり、設定濃度が４０％である基準濃度パッチＣ２，Ｍ２，Ｙ２，Ｋ２の形成パターンはＰ２であり、設定濃度が６０％である基準濃度パッチＣ３，Ｍ３，Ｙ３，Ｋ３の形成パターンはＰ３であり、設定濃度が８０％である基準濃度パッチＣ４，Ｍ４，Ｙ４，Ｋ４の形成パターンはＰ４であり、設定濃度が１００％である基準濃度パッチＣ５，Ｍ５，Ｙ５，Ｋ５の形成パターンはＰ５である。
【００５１】
例えば、基準濃度パッチＣ１を搬送ベルト６８（図１参照）に形成する場合は、画像形成ユニット２０Ｃは、形成パターンＰ１を使用してシアン色の基準濃度パッチＣ１を搬送ベルト６８に形成する。また、基準濃度パッチＹ３を搬送ベルト６８に形成する場合は、画像形成ユニット２０Ｙは、形成パターンＰ３を使用してイエロー色の基準濃度パッチＹ３を搬送ベルト６８に形成する。
【００５２】
この基準濃度パッチＣ１からＫ５の各形成パターンＰ１からＰ５は、縦１６×横１６の閾値の行列から構成される基準ディザマトリクス（図示せず）に基づいて２値化されたデータとして構成されている。この基準ディザマトリクスは、ディザマトリクスメモリ２４ｃに記憶された各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、および高品質モード用ブラックディザマトリクス）とは異なる閾値の行列で構成されている。
【００５３】
ここで、ディザマトリクスについて説明する。ディザマトリクスは、例えば図１５に記載の構成となっている。記録用紙３に画像を形成する場合は、多値（例えば、ＲＧＢ）で形成される画像から、２値（例えば、白と黒）の画像が形成される。例えば、レーザープリンタであれば、「トナーを記録用紙に転写してドットを形成する」、又は、「トナーを記録用紙に転写してドットを形成しない」の２種類の状態で画像が形成される。その２種類の状態で、画像の階調を表現するために、ディザマトリクスが用いられる。ディザマトリクスは、例えば、縦１６×横１６の閾値が設定されたドットの行列で構成されており、その閾値の行列と、ＰＣ１２５から入力される形成する画像に対応した設定濃度とが比較される。設定濃度が閾値以上の場合は「トナーを転写するドット」とし、また設定濃度が閾値よりも小さい場合は「トナーを転写しないドット」として、縦１６×横１６のドットの形成パターンが形成される。このようにして、２値で画像の階調が表現される。
【００５４】
基準濃度パッチＣ１，Ｍ１，Ｙ１，Ｋ１の形成パターンＰ１は、基準ディザマトリクスの設定濃度が２０％であるときの形成パターンであり、基準濃度パッチＣ２，Ｍ２，Ｙ２，Ｋ２の形成パターンＰ２は、基準ディザマトリクスの設定濃度が４０％であるときの形成パターンであり、基準濃度パッチＣ３，Ｍ３，Ｙ３，Ｋ３の形成パターンＰ３は、基準ディザマトリクスの設定濃度が６０％であるときの形成パターンである。また、基準濃度パッチＣ４，Ｍ４，Ｙ４，Ｋ４の形成パターンＰ４は、基準ディザマトリクスの設定濃度が８０％であるときの形成パターンであり、基準濃度パッチＣ５，Ｍ５，Ｙ５，Ｋ５の形成パターンＰ５は、基準ディザマトリクスの設定濃度が１００％であるときの形成パターンである。
【００５５】
基準濃度パッチデータメモリ２４ａには、基準ディザマトリクス（図示せず）の設定濃度が２０％、４０％、６０％、８０％、１００％であるときの２値化された形成パターンＰ１からＰ５がそれぞれ記憶されている。
【００５６】
なお、基準濃度パッチデータメモリ２４ａに記憶される基準濃度パッチデータは、ＰＣ１２５によって書換え可能に記憶されている。また、本実施形態のカラーレーザープリンタ１で搬送ベルト６８（図１参照）に形成する基準濃度パッチＣ１からＫ５は四角形である。ただし、基準濃度パッチＣ１からＫ５は四角形に限らず、多角形等で形成してもよい。
【００５７】
基準濃度パッチ面積率メモリ２４ｂは、濃度補正プログラムメモリ２３ａに記憶された濃度補正プログラムにより、図１２に示すように搬送ベルト６８（図１参照）に形成される基準濃度パッチＣ１からＫ５の各面積率である基準濃度パッチ面積率を記憶するメモリである。この基準濃度パッチ面積率は、後述する対応濃度データメモリ２５ａに記憶される対応濃度データを作成する際に使用される。なお、面積率とは、例えば、図１１（ｂ）に示すように、基準濃度パッチＣ１からＫ５の各設定濃度のときの各形成パターンＰ１からＰ５において、オンとなるドット数（ハッチングがされたドット数）を、基準濃度パッチＣ１からＫ５の各基準濃度パッチを構成する全ドット数（ハッチングがされたドット数とハッチングがされていないドット数との和）で除算した値としている。よって、面積率は、複雑な処理を行うことなしに、簡易に算出することができる。
【００５８】
ディザマトリクスメモリ２４ｃは、記録用紙３に形成する画像の解像度毎と記録用紙３に形成する画像の色毎とに異なるディザマトリクスを記憶するメモリである。なお、本実施形態においては、記録用紙３に形成する画像の解像度毎と記録用紙３に形成する画像の色毎とに異なるディザマトリクスを設けているが、使用するトナーを通常印刷よりも減らして画像を記録用紙３に形成する試験印刷（ドラフト印刷）と通常印刷とで異なるディザマトリクスを設けても良い。更に、画像を形成するスピードを記録用紙３の厚みにより複数段階で変更する場合には、その複数段階毎に異なるディザマトリクスを設けても良い。
【００５９】
本実施形態では、ディザマトリクスメモリ２４ｃは、標準モード用シアンディザマトリクスメモリ２４ｃ１と、標準モード用マゼンタディザマトリクスメモリ２４ｃ２と、標準モード用イエローディザマトリクスメモリ２４ｃ３と、標準モード用ブラックディザマトリクスメモリ２４ｃ４と、高品質モード用シアンディザマトリクスメモリ２４ｃ５と、高品質モード用マゼンタディザマトリクスメモリ２４ｃ６と、高品質モード用イエローディザマトリクスメモリ２４ｃ７と、高品質モード用ブラックディザマトリクスメモリ２４ｃ８との計８つのメモリから構成されている。
【００６０】
標準モード用シアンディザマトリクスメモリ２４ｃ１と、標準モード用マゼンタディザマトリクスメモリ２４ｃ２と、標準モード用イエローディザマトリクスメモリ２４ｃ３と、標準モード用ブラックディザマトリクスメモリ２４ｃ４とには、記録用紙３に画像を標準モード（カラーレーザープリンタ１に標準として設定されている解像度の記録モード）として形成する場合に使用するディザマトリクスがそれぞれ記憶されている。そして、記録用紙３に形成する画像の色がシアンである場合は、標準モード用シアンディザマトリクスメモリ２４ｃ１に記憶された標準モード用シアンディザマトリクスを用いて、画像形成ユニット２０Ｃが、シアン色の画像を形成する。
【００６１】
同様に、記録用紙３に形成する画像の色がマゼンタである場合は、標準モード用マゼンタディザマトリクスメモリ２４ｃ２に記憶された標準モード用マゼンタディザマトリクスを用いて、画像形成ユニット２０Ｍが、マゼンタ色の画像を形成する。記録用紙３に形成する画像の色がイエローである場合は、標準モード用イエローディザマトリクスメモリ２４ｃ３に記憶された標準モード用イエローディザマトリクスを用いて、画像形成ユニット２０Ｙが、イエロー色の画像を形成する。また、記録用紙３に形成する画像の色がブラックである場合は、標準モード用ブラックディザマトリクスメモリ２４ｃ４に記憶された標準モード用ブラックディザマトリクスを用いて、画像形成ユニット２０Ｋが、ブラック色の画像を形成する。
【００６２】
また、高品質モード用シアンディザマトリクスメモリ２４ｃ５と、高品質モード用マゼンタディザマトリクスメモリ２４ｃ６と、高品質モード用イエローディザマトリクスメモリ２４ｃ７と、高品質モード用ブラックディザマトリクスメモリ２４ｃ８とは、記録用紙３に画像を高品質モード（標準モードよりも解像度が高い記録モード）として形成する場合に使用するディザマトリクスがそれぞれ記憶されている。記録用紙３に画像を高品質モードとして形成する場合に使用するディザマトリクスは、画像を通常モードとして形成する場合に使用するディザマトリクスと比較して、ディザマトリクスを構成する全ドット数が多くなっている。
【００６３】
記録用紙３に形成する画像の色がシアンである場合は、高品質モード用シアンディザマトリクスメモリ２４ｃ５に記憶された高品質モード用シアンディザマトリクスを用いて、画像形成ユニット２０Ｃが、シアン色の高品質の画像を形成する。同様に、記録用紙３に形成する画像の色がマゼンタである場合は、高品質モード用マゼンタディザマトリクスメモリ２４ｃ６に記憶された高品質モード用マゼンタディザマトリクスを用いて、画像形成ユニット２０Ｍが、マゼンタ色の高品質の画像を形成する。記録用紙３に形成する画像の色がイエローである場合は、高品質モード用イエローディザマトリクスメモリ２４ｃ７に記憶された高品質モード用イエローディザマトリクスを用いて、画像形成ユニット２０Ｙが、イエロー色の高品質の画像を形成する。また、記録用紙３に形成する画像の色がブラックである場合は、高品質モード用ブラックディザマトリクスメモリ２４ｃ８に記憶された高品質モード用ブラックディザマトリクスを用いて、画像形成ユニット２０Ｋが、ブラック色の高品質の画像を形成する。
【００６４】
なお、ディザマトリクスメモリ２４ｃに記憶される各ディザマトリクスの設定濃度を変化させると、その設定濃度に応じて、形成される画像の濃度が変化する。各ディザマトリクスの設定濃度が高くなれば（最小０％、最大１００％）、オンとなるドット数が増え、形成される画像の濃度が高くなる。一方、各ディザマトリクスの設定濃度が低くなれば、オンとなるドット数が減り、形成される画像の濃度が低くなる。なお、各ディザマトリクスの設定濃度は、記録用紙３に画像を形成する場合（カラーレーザープリンタ１で記録用紙３に画像を形成する場合）には、後述するＰＣ１２５により入力される。一方、各ディザマトリクスの設定濃度は、カラーレーザープリンタ１のキャリブレーションを実行する場合には、ＣＰＵ２２により入力される。また、ディザマトリクスメモリ２４ｃに記憶される各ディザマトリクスは、ＰＣ１２５によって書換え可能に記憶されている。
【００６５】
補正テーブルメモリ２４ｄは、ＰＣ１２５から入力された各ディザマトリクスの設定濃度の補正量を決定する各補正テーブルを記憶するメモリである。補正テーブルメモリ２４ｄは、ディザマトリクスメモリ２４ｃに記憶される各ディザマトリクスに対応して、標準モード用シアン補正テーブルメモリ２４ｄ１と、標準モード用マゼンタ補正テーブルメモリ２４ｄ２と、標準モード用イエロー補正テーブルメモリ２４ｄ３と、標準モード用ブラック補正テーブルメモリ２４ｄ４と、高品質モード用シアン補正テーブルメモリ２４ｄ５と、高品質モード用マゼンタ補正テーブルメモリ２４ｄ６と、高品質モード用イエロー補正テーブルメモリ２４ｄ７と、高品質モード用ブラック補正テーブルメモリ２４ｄ８との計８つのメモリから構成される。
【００６６】
標準モード用シアン補正テーブルメモリ２４ｄ１には、ＰＣ１２５から入力された標準モード用シアンディザマトリクスの設定濃度の補正量を決定する標準モード用シアン補正テーブルが記憶されている。
【００６７】
標準モード用マゼンタ補正テーブルメモリ２４ｄ２には、ＰＣ１２５から入力された標準モード用マゼンタディザマトリクスの設定濃度の補正量を決定する標準モード用マゼンタ補正テーブルが記憶されている。
【００６８】
標準モード用イエロー補正テーブルメモリ２４ｄ３には、ＰＣ１２５から入力された標準モード用イエローディザマトリクスの設定濃度の補正量を決定する標準モード用イエロー補正テーブルが記憶されている。
【００６９】
標準モード用ブラック補正テーブルメモリ２４ｄ４には、ＰＣ１２５から入力された標準モード用ブラックディザマトリクスの設定濃度の補正量を決定する標準モード用ブラック補正テーブルが記憶されている。
【００７０】
高品質モード用シアン補正テーブルメモリ２４ｄ５には、ＰＣ１２５から入力された高品質モード用シアンディザマトリクスの設定濃度の補正量を決定する高品質モード用シアン補正テーブルが記憶されている。
【００７１】
高品質モード用マゼンタ補正テーブルメモリ２４ｄに６は、ＰＣ１２５から入力された高品質モード用マゼンタディザマトリクスの設定濃度の補正量を決定する高品質モード用マゼンタ補正テーブルが記憶されている。
【００７２】
高品質モード用イエロー補正テーブルメモリ２４ｄ７には、ＰＣ１２５から入力された高品質モード用イエローディザマトリクスの設定濃度の補正量を決定する高品質モード用イエロー補正テーブルが記憶されている。
【００７３】
高品質モード用ブラック補正テーブルメモリ２４ｄ８には、ＰＣ１２５から入力された高品質モード用ブラックディザマトリクスの設定濃度の補正量を決定する高品質モード用ブラック補正テーブルが記憶されている。
【００７４】
次に、図４を参照して、ＲＡＭ２５の内容について説明する。図４は、ＲＡＭ２５の内容を示した図である。ＲＡＭ２５は、対応濃度データメモリ２５ａと、測定濃度メモリ２５ｂと、対応測定データメモリ２５ｃと、補間データメモリ２５ｄと、目標データメモリ２５ｅとを有している。
【００７５】
対応濃度データメモリ２５ａは、ディザマトリクスメモリ２４ｃに記憶された各ディザマトリクスの設定濃度をそれぞれ変化させ、その各ディザマトリクスの設定濃度をそれぞれ変化させたときの各ディザマトリクスの各面積率と、基準濃度パッチ面積率メモリ２４ｂに記憶された各基準濃度パッチ面積率とが所定の範囲内となったときに、各ディザマトリクスの各設定濃度を記憶するメモリである。
【００７６】
対応濃度データメモリ２５ａは、ディザマトリクスメモリ２４ｃに記憶される各ディザマトリクスに対応して、標準モード用対応濃度シアンデータメモリ２５ａ１と、標準モード用対応濃度マゼンタデータメモリ２５ａ２と、標準モード用対応濃度イエローデータメモリ２５ａ３と、標準モード用対応濃度ブラックデータメモリ２５ａ４と、高品質モード用対応濃度シアンデータメモリ２５ａ５と、高品質モード用対応濃度マゼンタデータメモリ２５ａ６と、高品質モード用対応濃度イエローデータメモリ２５ａ７と、高品質モード用対応濃度ブラックデータメモリ２５ａ８とから構成されている。
【００７７】
標準モード用対応濃度シアンデータメモリ２５ａ１は、標準モード用シアンディザマトリクスメモリ２４ｃ１の標準モード用シアンディザマトリクス（記録用紙３に形成される画像が標準モードであり、記録用紙３に形成される画像の色がシアン色の場合に使用されるディザマトリクス）の設定濃度を変化させ、標準モード用シアンディザマトリクスの面積率を変化させたときに、基準濃度パッチ面積率メモリ２４ｂに記憶された各基準濃度パッチ面積率と所定の範囲内となる標準モード用シアンディザマトリクスの各設定濃度を記憶するメモリである。
【００７８】
標準モード用対応濃度マゼンタデータメモリ２５ａ２は、標準モード用マゼンタディザマトリクスメモリ２４ｃ２の標準モード用マゼンタディザマトリクス（記録用紙３に形成される画像が標準モードであり、記録用紙３に形成される画像の色がマゼンタ色の場合に使用されるディザマトリクス）の設定濃度を変化させ、標準モード用マゼンタディザマトリクスの面積率を変化させたときに、基準濃度パッチ面積率メモリ２４ｂに記憶された各基準濃度パッチ面積率と所定の範囲内となる標準モード用マゼンタディザマトリクスの各設定濃度を記憶するメモリである。
【００７９】
標準モード用対応濃度イエローデータメモリ２５ａ３は、標準モード用イエローディザマトリクスメモリ２４ｃ３の標準モード用イエローディザマトリクス（記録用紙３に形成される画像が標準モードであり、記録用紙３に形成される画像の色がイエロー色の場合に使用されるディザマトリクス）の設定濃度を変化させ、標準モード用イエローディザマトリクスの面積率を変化させたときに、基準濃度パッチ面積率メモリ２４ｂに記憶された各基準濃度パッチ面積率と所定の範囲内となる標準モード用イエローディザマトリクスの各設定濃度を記憶するメモリである。
【００８０】
標準モード用対応濃度ブラックデータメモリ２５ａ４は、標準モード用ブラックディザマトリクスメモリ２４ｃ４の標準モード用ブラックディザマトリクス（記録用紙３に形成される画像が標準モードであり、記録用紙３に形成される画像の色がブラック色の場合に使用されるディザマトリクス）の設定濃度を変化させ、標準モード用ブラックディザマトリクスの面積率を変化させたときに、基準濃度パッチ面積率メモリ２４ｂに記憶された各基準濃度パッチ面積率と所定の範囲内となる標準モード用ブラックディザマトリクスの各設定濃度を記憶するメモリである。
【００８１】
高品質モード用対応濃度シアンデータメモリ２５ａ５は、高品質モード用シアンディザマトリクスメモリ２４ｃ５の高品質モード用シアンディザマトリクス（記録用紙３に形成される画像が高品質モードであり、記録用紙３に形成される画像の色がシアン色の場合に使用されるディザマトリクス）の設定濃度を変化させ、高品質モード用シアンディザマトリクスの面積率を変化させたときに、基準濃度パッチ面積率メモリ２４ｂに記憶された各基準濃度パッチ面積率と所定の範囲内となる高品質モード用シアンディザマトリクスの各設定濃度を記憶するメモリである。
【００８２】
高品質モード用対応濃度マゼンタデータメモリ２５ａ６は、高品質モード用マゼンタディザマトリクスメモリ２４ｃ６の高品質モード用マゼンタディザマトリクス（記録用紙３に形成される画像が高品質モードであり、記録用紙３に形成される画像の色がマゼンタ色の場合に使用されるディザマトリクス）の設定濃度を変化させ、高品質モード用マゼンタディザマトリクスの面積率を変化させたときに、基準濃度パッチ面積率メモリ２４ｂに記憶された各基準濃度パッチ面積率と所定の範囲内となる高品質モード用マゼンタディザマトリクスの各設定濃度を記憶するメモリである。
【００８３】
高品質モード用対応濃度イエローデータメモリ２５ａ７は、高品質モード用イエローディザマトリクスメモリ２４ｃ７の高品質モード用マゼンタディザマトリクス（記録用紙３に形成される画像が高品質モードであり、記録用紙３に形成される画像の色がイエロー色の場合に使用されるディザマトリクス）の設定濃度を変化させ、高品質モード用イエローディザマトリクスの面積率を変化させたときに、基準濃度パッチ面積率メモリ２４ｂに記憶された各基準濃度パッチ面積率と所定の範囲内となる高品質モード用イエローディザマトリクスの各設定濃度を記憶するメモリである。
【００８４】
高品質モード用対応濃度ブラックデータメモリ２５ａ８は、高品質モード用ブラックディザマトリクスメモリ２４ｃ８の高品質モード用ブラックディザマトリクス（記録用紙３に形成される画像が高品質モードであり、記録用紙３に形成される画像の色がブラック色の場合に使用されるディザマトリクス）の設定濃度を変化させ、高品質モード用ブラックディザマトリクスの面積率を変化させたときに、基準濃度パッチ面積率メモリ２４ｂに記憶された各基準濃度パッチ面積率と所定の範囲内となる高品質モード用ブラックディザマトリクスの各設定濃度を記憶するメモリである。
【００８５】
なお、対応濃度データメモリ２５ａに記憶される各ディザマトリクスの各設定濃度は、後述する対応測定データメモリ２５ｃに記憶される対応測定データの作成に使用される。
【００８６】
測定濃度メモリ２５ｂは、基準濃度パッチデータメモリ２４ａに記憶された基準濃度パッチデータに基づいて、搬送ベルト６８（図１参照）に形成された各基準濃度パッチＣ１からＫ５を濃度測定センサ８０で測定した各測定濃度を、基準濃度パッチＣ１からＫ５毎に記憶するメモリである。測定濃度メモリ２５ｂは、搬送ベルト６８に形成される基準濃度パッチＣ１からＫ５の色に対応して、シアン色の基準濃度パッチである基準濃度パッチＣ１からＣ５の各測定濃度を記憶するシアン測定濃度メモリ２５ｂ１と、マゼンタ色の基準濃度パッチである基準濃度パッチＭ１からＭ５の各測定濃度を記憶するマゼンタ測定濃度メモリ２５ｂ２と、イエロー色の基準濃度パッチである基準濃度パッチＹ１からＹ５の各測定濃度を記憶するイエロー測定濃度メモリ２５ｂ３と、ブラック色の基準濃度パッチである基準濃度パッチＫ１からＫ５の各測定濃度を記憶するブラック測定濃度メモリ２５ｂ４との計４つのメモリから構成されている。
【００８７】
なお、測定濃度メモリ２５ｂに記憶される各測定濃度は、搬送ベルト６８（図１参照）に形成された基準濃度パッチＣ１からＫ５の濃度を濃度測定センサ８０で測定する度に更新される。
【００８８】
対応測定データメモリ２５ｃは、対応濃度データメモリ２５ａに記憶される各ディザマトリクスの各設定濃度と、搬送ベルト６８（図１参照）に形成された基準濃度パッチＣ１からＫ５を濃度測定センサ８０でそれぞれ測定した各測定濃度とを対応付けた対応測定データを記憶するメモリである。
【００８９】
対応測定データメモリ２５ｃは、ディザマトリクスメモリ２４ｃに記憶される各ディザマトリクスに対応して、標準モード用対応測定シアンデータメモリ２５ｃ１と、標準モード用対応測定マゼンタデータメモリ２５ｃ２と、標準モード用対応測定イエローデータメモリ２５ｃ３と、標準モード用対応測定ブラックデータメモリ２５ｃ４と、高品質モード用対応測定シアンデータメモリ２５ｃ５と、高品質モード用対応測定マゼンタデータメモリ２５ｃ６と、高品質モード用対応測定イエローデータメモリ２５ｃ７と、高品質モード用対応測定ブラックデータメモリ２５ｃ８との計８つのメモリから構成されている。
【００９０】
標準モード用対応測定シアンデータメモリ２５ｃ１は、標準モード用対応濃度シアンデータメモリ２５ａ１に記憶された標準モード用シアンディザマトリクス（記録用紙３に形成される画像が標準モードであり、記録用紙３に形成される画像の色がシアン色の場合に使用されるディザマトリクス）の各設定濃度と、搬送ベルト６８（図１参照）に形成された基準濃度パッチＣ１からＣ５（搬送ベルト６８にシアン色が形成される基準濃度パッチ）を濃度測定センサ８０でそれぞれ測定した各測定濃度とを対応付けた標準モード用対応測定シアンデータを記憶している。
【００９１】
標準モード用対応測定マゼンタデータメモリ２５ｃ２は、標準モード用対応濃度マゼンタデータメモリ２５ａ２に記憶された標準モード用マゼンタディザマトリクス（記録用紙３に形成される画像が標準モードであり、記録用紙３に形成される画像の色がマゼンタ色の場合に使用されるディザマトリクス）の各設定濃度と、搬送ベルト６８（図１参照）に形成された基準濃度パッチＭ１からＭ５（搬送ベルト６８にマゼンタ色が形成される基準濃度パッチ）を濃度測定センサ８０でそれぞれ測定した各測定濃度とを対応付けた標準モード用対応測定マゼンタデータを記憶している。
【００９２】
標準モード用対応測定イエローデータメモリ２５ｃ３は、標準モード用対応濃度イエローデータメモリ２５ａ３に記憶された標準モード用イエローディザマトリクス（記録用紙３に形成される画像が標準モードであり、記録用紙３に形成される画像の色がイエロー色の場合に使用されるディザマトリクス）の各設定濃度と、搬送ベルト６８（図１参照）に形成された基準濃度パッチＹ１からＹ５（搬送ベルト６８にイエロー色が形成される基準濃度パッチ）を濃度測定センサ８０でそれぞれ測定した各測定濃度とを対応付けた標準モード用対応測定イエローデータを記憶している。
【００９３】
標準モード用対応測定ブラックデータメモリ２５ｃ４は、標準モード用対応濃度ブラックデータメモリ２５ａ４に記憶された標準モード用ブラックディザマトリクス（記録用紙３に形成される画像が標準モードであり、記録用紙３に形成される画像の色がブラック色の場合に使用されるディザマトリクス）の各設定濃度と、搬送ベルト６８（図１参照）に形成された基準濃度パッチＫ１からＫ５（搬送ベルト６８にブラック色が形成される基準濃度パッチ）を濃度測定センサ８０でそれぞれ測定した各測定濃度とを対応付けた標準モード用対応測定ブラックデータを記憶している。
【００９４】
高品質モード用対応測定シアンデータメモリ２５ｃ５は、高品質モード用対応濃度シアンデータメモリ２５ａ５に記憶された高品質モード用シアンディザマトリクス（記録用紙３に形成される画像が高品質モードであり、記録用紙３に形成される画像の色がシアン色の場合に使用されるディザマトリクス）の各設定濃度と、搬送ベルト６８（図１参照）に形成された基準濃度パッチＣ１からＣ５（搬送ベルト６８にシアン色が形成される基準濃度パッチ）の各濃度を濃度測定センサ８０でそれぞれ測定した各測定濃度とを対応付けた高品質モード用対応測定シアンデータを記憶している。
【００９５】
高品質モード用対応測定マゼンタデータメモリ２５ｃ６は、高品質モード用対応濃度マゼンタデータメモリ２５ａ６に記憶された高品質モード用マゼンタディザマトリクス（記録用紙３に形成される画像が高品質モードであり、記録用紙３に形成される画像の色がマゼンタ色の場合に使用されるディザマトリクス）の各設定濃度と、搬送ベルト６８（図１参照）に形成された基準濃度パッチＭ１からＭ５（搬送ベルト６８にマゼンタ色が形成される基準濃度パッチ）の各濃度を濃度測定センサ８０でそれぞれ測定した各測定濃度とを対応付けた高品質モード用対応測定マゼンタデータを記憶している。
【００９６】
高品質モード用対応測定イエローデータメモリ２５ｃ７は、高品質モード用対応濃度イエローデータメモリ２５ａ７に記憶された高品質モード用イエローディザマトリクス（記録用紙３に形成される画像が高品質モードであり、記録用紙３に形成される画像の色がイエロー色の場合に使用されるディザマトリクス）の各設定濃度と、搬送ベルト６８（図１参照）に形成された基準濃度パッチＹ１からＹ５（搬送ベルト６８にイエロー色が形成される基準濃度パッチ）の各濃度を濃度測定センサ８０でそれぞれ測定した各測定濃度とを対応付けた高品質モード用対応測定イエローデータを記憶している。
【００９７】
高品質モード用対応測定ブラックデータメモリ２５ｃ８は、高品質モード用対応濃度ブラックデータメモリ２５ａ８に記憶された高品質モード用ブラックディザマトリクス（記録用紙３に形成される画像が高品質モードであり、記録用紙３に形成される画像の色がブラック色の場合に使用されるディザマトリクス）の各設定濃度と、搬送ベルト６８（図１参照）に形成された基準濃度パッチＫ１からＫ５（搬送ベルト６８にブラック色が形成される基準濃度パッチ）の各濃度を濃度測定センサ８０でそれぞれ測定した各測定濃度とを対応付けた高品質モード用対応測定ブラックデータを記憶している。
【００９８】
対応測定データメモリ２５ｃに記憶される対応測定データについて、標準モード用対応測定シアンデータメモリ２５ｃ１に記憶される標準モード用対応測定シアンデータを用いて説明する。なお、標準モード用対応測定マゼンタデータ、標準モード用対応測定イエローデータ、標準モード用対応測定ブラックデータ、高品質モード用対応測定シアンデータ、高品質モード用対応測定マゼンタデータ、高品質モード用対応測定イエローデータ、および高品質モード用対応測定ブラックデータについては、標準モード用対応測定シアンデータの場合と同様の思想となるので、その説明を省略する。
【００９９】
標準モード用対応測定シアンデータは、標準モード用対応濃度シアンデータメモリ２５ａ１に記憶される標準モード用シアンディザマトリクスの各設定濃度と、搬送ベルト６８（図１参照）に形成された基準濃度パッチＣ１からＣ５（搬送ベルト６８にシアン色が形成される基準濃度パッチ）を濃度測定センサ８０でそれぞれ測定した各測定濃度とを対応付けたデータである。
【０１００】
標準モード用対応濃度シアンデータメモリ２５ａ１に標準モード用シアンディザマトリクスの各設定濃度が記憶されているということは、その記憶された各設定濃度時の標準モード用シアンディザマトリクスの各面積率は、基準濃度パッチ面積率メモリ２４ｂに記憶された各基準濃度パッチ面積率の所定の範囲内となっているということである。
【０１０１】
そして、標準モード用対応濃度シアンデータメモリ２５ａ１に記憶された各設定濃度時の標準モード用シアンディザマトリクスの各面積率が、基準濃度パッチ面積率メモリ２４ｂに記憶された各基準濃度パッチ面積率の所定の範囲内となっていれば、両者の面積率は略同一である。ここで、基準濃度パッチ面積率メモリ２４ｂに記憶された各基準濃度パッチ面積率は、基準濃度パッチＣ１からＫ５の各面積率となっている。
【０１０２】
よって、標準モード用対応濃度シアンデータメモリ２５ａ１に記憶された各設定濃度時の標準モード用シアンディザマトリクスの面積率は、基準濃度パッチＣ１からＫ５の各面積率と略同一となる。
【０１０３】
従って、標準モード用対応濃度シアンデータメモリ２５ａ１に記憶された各設定濃度時の標準モード用シアンディザマトリクス（記録用紙３に形成される画像が標準モードであり、記録用紙３に形成される画像の色がシアン色の場合に使用されるディザマトリクス）の測定濃度は、各基準濃度パッチ面積率に対応している基準濃度パッチＣ１からＣ５（搬送ベルト６８にシアン色が形成される基準濃度パッチ）を濃度測定センサ８０で測定した測定濃度と略同一になると考えることができる。
【０１０４】
これにより、標準モード用対応濃度シアンデータメモリ２５ａ１に記憶された標準モード用シアンディザマトリクス（記録用紙３に形成される画像が標準モードであり、記録用紙３に形成される画像の色がシアン色の場合に使用されるディザマトリクス）の各設定濃度と、基準濃度パッチＣ１からＣ５（搬送ベルト６８にシアン色が形成される基準濃度パッチ）の濃度を濃度測定センサ８０でそれぞれ測定した各測定濃度とを対応付け、基準濃度パッチＣ１からＣ５を濃度測定センサ８０で測定した各測定濃度を、標準モード用シアンディザマトリクスの各設定濃度時の各測定濃度として使用するのである。
【０１０５】
このように、対応濃度データメモリ２５ａに記憶される各ディザマトリクスの各設定濃度と、基準濃度パッチデータメモリ２４ａに記憶された基準濃度パッチＣ１からＫ５を濃度測定センサ８０でそれぞれ測定した各測定濃度とを対応付けして対応測定データを作成することにより、対応濃度データメモリ２５ａに記憶された各設定濃度時の各ディザマトリクスを濃度測定センサ８０でそれぞれ測定することなく、各設定濃度時の各ディザマトリクスの各測定濃度を設定することができる。
【０１０６】
なお、標準モード用対応濃度シアンデータメモリ２５ａ１に記憶された各設定濃度時の標準モード用シアンディザマトリクスの各面積率が、基準濃度パッチ面積率メモリ２４ｂに記憶された各基準濃度パッチ面積率と略同一となるとは、標準モード用対応濃度シアンデータメモリ２５ａ１に記憶された各設定濃度時の標準モード用シアンディザマトリクスの各面積率と、基準濃度パッチ面積率メモリ２４ｂに記憶された各基準濃度パッチ面積率とが同一の場合も含む概念である。
【０１０７】
補間データメモリ２５ｄは、対応測定データメモリ２５ｃに記憶された対応測定データを直線補間方法により補間したデータを記憶するメモリである。補間データメモリ２５ｄは、ディザマトリクスメモリ２４ｃに記憶される各ディザマトリクスに対応して、標準モード用シアン補間データメモリ２５ｄ１と、標準モード用マゼンタ補間データメモリ２５ｄ２と、標準モード用イエロー補間データメモリ２５ｄ３と、標準モード用ブラック補間データメモリ２５ｄ４と、高品質モード用シアン補間データメモリ２５ｄ５と、高品質モード用マゼンタ補間データメモリ２５ｄ６と、高品質モード用イエロー補間データメモリ２５ｄ７と、高品質モード用ブラック補間データメモリ２５ｄ８との計８つのメモリから構成されている。
【０１０８】
標準モード用シアン補間データメモリ２５ｄ１は、標準モード用対応測定シアンデータメモリ２５ｃ１に記憶された標準モード用対応測定シアンデータを直線補間方法により補間したデータである標準モード用シアン補間データが記憶されている。
【０１０９】
標準モード用マゼンタ補間データメモリ２５ｄ２は、標準モード用対応測定マゼンタデータメモリ２５ｃ２に記憶された標準モード用対応測定マゼンタデータを直線補間方法により補間したデータである標準モード用マゼンタ補間データが記憶されている。
【０１１０】
標準モード用イエロー補間データメモリ２５ｄ３は、標準モード用対応測定イエローデータメモリ２５ｃ３に記憶された標準モード用対応測定イエローデータを直線補間方法により補間したデータである標準モード用イエロー補間データが記憶されている。
【０１１１】
標準モード用ブラック補間データメモリ２５ｄ４は、標準モード用対応測定ブラックデータメモリ２５ｃ４に記憶された標準モード用対応測定ブラックデータを直線補間方法により補間したデータである標準モード用ブラック補間データが記憶されている。
【０１１２】
高品質モード用シアン補間データメモリ２５ｄ５は、高品質モード用対応測定シアンデータメモリ２５ｃ５に記憶された高品質モード用対応測定シアンデータを直線補間方法により補間したデータである高品質モード用シアン補間データが記憶されている。
【０１１３】
高品質モード用マゼンタ補間データメモリ２５ｄ６は、高品質モード用対応測定マゼンタデータメモリ２５ｃ６に記憶された高品質モード用対応測定マゼンタデータを直線補間方法により補間したデータである高品質モード用マゼンタ補間データが記憶されている。
【０１１４】
高品質モード用イエロー補間データメモリ２５ｄ７は、高品質モード用対応測定イエローデータメモリ２５ｃ７に記憶された高品質モード用対応測定イエローデータを直線補間方法により補間したデータである高品質モード用イエロー補間データが記憶されている。
【０１１５】
高品質モード用ブラック補間データメモリ２５ｄ８は、高品質モード用対応測定ブラックデータメモリ２５ｃ８に記憶された高品質モード用対応測定ブラックデータを直線補間方法により補間したデータである高品質モード用ブラック補間データが記憶されている。
【０１１６】
目標データメモリ２５ｅは、各ディザマトリクスの各設定濃度に対して、キャリブレーションの基準となる測定濃度（濃度測定センサ８０で測定された濃度）の目標値を記憶するメモリである。目標データメモリ２５ｅは、ディザマトリクスメモリ２４ｃに記憶される各ディザマトリクスに対応して、標準モード用シアン目標データメモリ２５ｅ１と、標準モード用マゼンタ目標データメモリ２５ｅ２と、標準モード用イエロー目標データメモリ２５ｅ３と、標準モード用ブラック目標データメモリ２５ｅ４と、高品質モード用シアン目標データメモリ２５ｅ５と、高品質モード用マゼンタ目標データメモリ２５ｅ６と、高品質モード用イエロー目標データメモリ２５ｅ７と、高品質モード用ブラック目標データメモリ２５ｅ８との計８つのメモリから構成されている。
【０１１７】
標準モード用シアン目標データメモリ２５ｅ１には、標準モード用シアンディザマトリクスの各設定濃度に対して、キャリブレーションの基準となる測定濃度の目標値が記憶されている。
【０１１８】
標準モード用マゼンタ目標データメモリ２５ｅ２には、標準モード用マゼンタディザマトリクスの各設定濃度に対して、キャリブレーションの基準となる測定濃度の目標値が記憶されている。
【０１１９】
標準モード用イエロー目標データメモリ２５ｅ３には、標準モード用イエローディザマトリクスの各設定濃度に対して、キャリブレーションの基準となる測定濃度の目標値が記憶されている。
【０１２０】
標準モード用ブラック目標データメモリ２５ｅ４には、標準モード用ブラックディザマトリクスの各設定濃度に対して、キャリブレーションの基準となる測定濃度の目標値が記憶されている。
【０１２１】
高品質モード用シアン目標データメモリ２５ｅ５には、高品質モード用シアンディザマトリクスの各設定濃度に対して、キャリブレーションの基準となる測定濃度の目標値が記憶されている。
【０１２２】
高品質モード用マゼンタ目標データメモリ２５ｅ６には、高品質モード用マゼンタディザマトリクスの各設定濃度に対して、キャリブレーションの基準となる測定濃度の目標値が記憶されている。
【０１２３】
高品質モード用イエロー目標データメモリ２５ｅ７には、高品質モード用イエローディザマトリクスの各設定濃度に対して、キャリブレーションの基準となる測定濃度の目標値が記憶されている。
【０１２４】
高品質モード用ブラック目標データメモリ２５ｅ８には、高品質モード用ブラックディザマトリクスの各設定濃度に対して、キャリブレーションの基準となる測定濃度の目標値が記憶されている。
【０１２５】
ＡＳＩＣ２６は、ＣＰＵ２２からの命令を変換して各部を駆動させる信号を出力すると共に、濃度測定センサ８０およびパネルＧＡ１０８ａから出力される信号を変換し、その変換した信号をＣＰＵ２２へ出力する集積回路である。
【０１２６】
各感光体ドラム６２（感光体ドラム６２Ｃ，６２Ｍ，６２Ｙ，６２Ｋ）は、その表面にトナー像を形成するドラムであり、各感光体ドラム６２に回転駆動力を与える各モータ（図示せず）とその各モータに電力を供給する各電源（図示せず）とから構成されている。各感光体ドラム６２は、それぞれＡＳＩＣ２６と接続されており、ＡＳＩＣ２６からの制御信号により各モータが回転し、その回転駆動力により各感光体ドラム６２が回転する。
【０１２７】
各帯電器３１（帯電器３１Ｃ，３１Ｍ，３１Ｙ，３１Ｋ）は、各感光ドラム６２（感光体ドラム６２Ｃ，６２Ｍ，６２Ｙ，６２Ｋ）の表面を一様に正極性に帯電させるスコロトン型の帯電器である。各帯電器３１は、それぞれＡＳＩＣ２６と接続されており、ＡＳＩＣ２６からの制御信号により各感光ドラム６２を正極性に帯電させる。
【０１２８】
各露光ユニット４１（露光ユニット４１Ｃ，４１Ｍ，４１Ｙ，４１Ｋ）は、各感光体ドラム６２（感光体ドラム６２Ｃ，６２Ｍ，６２Ｙ，６２Ｋ）の表面にレーザー光を照射するユニットであり、レーザー光を照射する各レーザー発振器（図示せず）等から構成されている。各露光ユニット４１は、それぞれＡＳＩＣ２６と接続されており、ＡＳＩＣ２６からの制御信号により各レーザー発振器等からレーザー光を照射すると共に、そのレーザー光の照射位置が制御される。
【０１２９】
各供給ローラ３２（供給ローラ３２Ｃ，３２Ｍ，３２Ｙ，３２Ｋ）は、各ホッパ５６（ホッパ５６Ｃ，５６Ｍ，５６Ｙ，５６Ｋ）に収容された各トナーを各現像ローラ５２（現像ローラ５２Ｃ，５２Ｍ，５２Ｙ，５２Ｋ）に付着させるためのローラであり、各供給ローラ３２に回転駆動力を与える各モータ（図示せず）とその各モータに電力を供給する各電源（図示せず）とから構成されている。各供給ローラ３２は、それぞれＡＳＩＣ２６と接続されており、ＡＳＩＣ２６からの制御信号により各モータが回転し、その回転駆動力により各供給ローラ３２が回転する。
【０１３０】
各現像ローラ５２（現像ローラ５２Ｃ，５２Ｍ，５２Ｙ，５２Ｋ）は、各感光ドラム６２（感光体ドラム６２Ｃ，６２Ｍ，６２Ｙ，６２Ｋ）に各トナーを付着させるためのローラであり、それぞれＡＳＩＣ２６と接続されている。各現像ローラ５２は、ＡＳＩＣ２６からの制御信号により、正の電圧である現像バイアス電圧がそれぞれ印加される。よって、各感光ドラム６２に付着させる各トナーを正極性に帯電させることができる。
【０１３１】
給紙ローラ８３は、給紙トレイ１２の記録用紙３を搬送ローラ１４ａ，１４ｂに向けて移動させるためのローラであり、給紙ローラ８３に回転駆動力を与えるモータ（図示せず）とそのモータに電力を供給する電源（図示せず）とから構成されている。給紙ローラ８３は、ＡＳＩＣ２６と接続されており、ＡＳＩＣ２６からの制御信号によりモータが回転し、その回転駆動力により給紙ローラ８３が回転し、記録用紙３を搬送ローラ１４ａ，１４ｂに向けて移動させる。
【０１３２】
搬送ローラ１４ａは、給紙ローラ８３から排出された記録用紙３を搬送ガイド１５へ搬送するローラであり、搬送ローラ１４ａに回転駆動力を与えるモータ（図示せず）とそのモータに電力を供給する電源（図示せず）とから構成されている。搬送ローラ１４ａは、ＡＳＩＣ２６と接続されており、ＡＳＩＣ２６からの制御信号によりモータが回転し、その回転駆動力により搬送ローラ１４ａが回転し、記録用紙３を搬送ガイド１５に向けて移動させる。
【０１３３】
搬送ローラ１４ｂは、搬送ガイド１５を介して搬送された記録用紙３を搬送ベルト６８と感光体ドラム６２Ｃとの間に順次搬送するローラであり、搬送ローラ１４ｂに回転駆動力を与えるモータ（図示せず）とそのモータに電力を供給する電源（図示せず）とから構成されている。搬送ローラ１４ｂは、ＡＳＩＣ２６と接続されており、ＡＳＩＣ２６からの制御信号によりモータが回転し、その回転駆動力により搬送ローラ１４ｂが回転し、記録用紙３を搬送ベルト６８と感光体ドラム６２Ｃとの間に搬送する。
【０１３４】
搬送ベルト駆動ローラ６３は、搬送ベルト６８を矢印ａの方向（図１参照）に移動させるためのローラであり、搬送ベルト駆動ローラ６３に回転駆動力を与えるモータ（図示せず）とそのモータに電力を供給する電源（図示せず）とから構成されている。搬送ベルト駆動ローラ６３は、ＡＳＩＣ２６と接続されており、ＡＳＩＣ２６からの制御信号によりモータが回転し、その回転駆動力により搬送ベルト駆動ローラ６３が回転して、搬送ベルト６８を周回移動させる。
【０１３５】
各転写ローラ６１（転写ローラ６１Ｃ，６１Ｍ，６１Ｙ，６１Ｋ）は、各感光体ドラム６２（感光体ドラム６２Ｃ，６２Ｍ，６２Ｙ，６２Ｋ）に担持されている各トナー像を記録用紙３に転写させるためのローラであり、それぞれＡＳＩＣ２６と接続されている。ＡＳＩＣ２６からの制御信号により、各感光体ドラム６２に担持されている各トナー像を記録用紙３に転写させる際に、各転写ローラ６１に負の電圧がそれぞれ印加される。各転写ローラ６１に負の電圧をそれぞれ印加することにより、各感光体ドラム６２に担持されている正極性に帯電した各トナーを記録用紙３にそれぞれ転写させることができる。
【０１３６】
加熱ローラ８１は、記録用紙３に転写されたトナーに熱を与えるローラであり、ハロゲンランプ（図示せず）とそのハロゲンランプに電力を供給する電源（図示せず）とから構成されている。加熱ローラ８１は、ＡＳＩＣ２６と接続されており、ＡＳＩＣ２６からの制御信号により、ハロゲンランプを点灯させ、放熱する。
【０１３７】
押圧ローラ８２は、加熱ローラ８１との間に配設された記録用紙３に圧力をかけるためのローラであり、押圧ローラ８２に回転駆動力を与えるモータ（図示せず）とそのモータに電力を供給する電源（図示せず）とから構成されている。押圧ローラ８２は、ＡＳＩＣ２６と接続されており、ＡＳＩＣ２６からの制御信号によりモータが回転し、その回転駆動力により押圧ローラ８２が回転して、記録用紙３に圧力をかける。
【０１３８】
排紙ローラ１１は、定着装置８から排出された記録用紙３を排紙トレイ１０に排出するためのローラであり、排紙ローラ１１に回転駆動力を与えるモータ（図示せず）とそのモータに電力を供給する電源（図示せず）とから構成されている。排紙ローラ１１は、ＡＳＩＣ２６と接続されており、ＡＳＩＣ２６からの制御信号によりモータが回転し、その回転駆動力により排紙ローラ１１が回転して、記録用紙３を排紙トレイ１０に排出する。
【０１３９】
濃度測定センサ８０は、図１２に示す搬送ベルト６８に形成された基準濃度パッチＣ１からＫ５の濃度をそれぞれ測定するためのセンサであり、ＡＳＩＣ２６と接続されている。濃度測定センサ８０により測定された濃度パッチＣ１からＫ５の各測定濃度は、ＡＳＩＣ２６に出力され、その出力された各測定濃度は、それぞれ測定濃度メモリ２５ｂに記憶される。
【０１４０】
パネルＧＡ１０８ａは、カラーレーザープリンタ１に所望の指令を入力する操作キー１０８の制御を行うもので、ＡＳＩＣ２６と接続されると共に、操作キー１０８と接続される。パネルＧＡ１０８ａは、操作キー１０８の押下（入力）を検出して、ＡＳＩＣ２６に所定のコード信号を出力する。このコード信号は、複数の操作キー１０８に対応して割り当てられている。ＡＳＩＣ２６は、パネルＧＡ１０８ａから所定のコード信号を受信すると、ＣＰＵ２２に対して割り込みを発生させる。割り込みを受けたＣＰＵ２２は、所定のキー処理テーブルに従って、実行すべき制御処理を行う。このキー処理テーブルは、コード信号と制御処理とを対応させてテーブル化したものであり、例えば、ＲＯＭ２３に記憶されている。
【０１４１】
表示装置コントローラ１０９ａは、カラーレーザープリンタ１の動作に関する情報などを表示装置１０９に表示するためのコントローラである。表示装置コントローラ１０９ａは、ＡＳＩＣ２６に接続されると共に、表示装置１０９と接続される。
【０１４２】
ネットワークＩ／Ｆ２８は、ＵＳＢ規格などの通信を行うインターフェースで、ＡＳＩＣ２６に接続されると共に、ＰＣ１２５と通信可能に接続される。ネットワークＩ／Ｆ２８は、ＰＣ１２５から入力された画像情報を変換し、変換した信号をＣＰＵ２２へ出力する。
【０１４３】
ＰＣ１２５は、ディザマトリクスメモリ２４ｃに記憶される各ディザマトリクスの各設定濃度を入力するパーソナルコンピュータであり、ネットワークＩ／Ｆ２８と通信可能に接続される。ＰＣ１２５から入力される各ディザマトリクスの各設定濃度により、記録用紙３に形成される画像の濃度が決定される。
【０１４４】
次に、図５を参照して、制御装置９０のＣＰＵ２２で実行される濃度補正処理について説明する。図５は、制御装置９０のＣＰＵ２２で実行される濃度補正処理を示したフローチャートである。濃度補正処理は、ディザマトリクスメモリ２４ｃに記憶された各ディザマトリクスが、ＰＣ１２５から送信されたディザマトリクスデータによって変更された場合に実行される処理である。
【０１４５】
濃度補正処理では、まず基準濃度パッチＣ１からＫ５の全ての測定濃度は測定濃度メモリ２５ｂにあるか否かが判定される（Ｓ１）。測定濃度メモリ２５ｂに、基準濃度パッチＣ１からＫ５の全ての測定濃度があると判定された場合（Ｓ１：Ｙｅｓ）、または、基準濃度パッチ測定処理（Ｓ２）が実行された場合には、ディザ面積率検索処理（Ｓ３）に移行する。一方、測定濃度メモリ２５ｂに、基準濃度パッチＣ１からＫ５の全ての測定濃度がないと判定された場合には（Ｓ１：Ｎｏ）、基準濃度パッチＣ１からＫ５の全ての測定濃度を取得するために、基準濃度パッチ測定処理（Ｓ２）に移行する。ここで、図６を参照して、基準濃度パッチ測定処理（Ｓ２）について説明する。図６は、基準濃度パッチ測定処理（Ｓ２）を示したフローチャートである。
【０１４６】
基準濃度パッチ測定処理（Ｓ２）は、基準濃度パッチＣ１からＫ５を搬送ベルト６８に形成し、形成した基準濃度パッチＣ１からＫ５を濃度測定センサ８０でそれぞれ測定し、その各測定濃度を測定濃度メモリ２５ｂに記憶させる処理である。
【０１４７】
基準濃度パッチ測定処理（Ｓ２）では、まず基準濃度パッチデータメモリ２４ａから基準濃度パッチデータ（図１１参照）を取得し（Ｓ１０）、取得した基準濃度パッチデータに基づき、基準濃度パッチＣ１からＫ５を搬送ベルト６８にそれぞれ形成する（Ｓ１１）。そして、搬送ベルト６８に形成された基準濃度パッチＣ１からＫ５を濃度測定センサ８０でそれぞれ測定する（Ｓ１２）。
【０１４８】
このＳ１０からＳ１２の処理について、図１２を参照して説明する。図１２は、搬送ベルト６８に形成された基準濃度パッチＣ１からＫ５を模式的に示した図である。なお、Ｙ軸方向は、搬送ベルト６８が周回移動する方向である矢印ａの方向（図１参照）に対応し、Ｘ軸方向は、図１の紙面奥側から手前側へ搬送ベルト６８に平行に延びる方向に対応している。
【０１４９】
ＣＰＵ２２は、基準濃度パッチデータメモリ２４ａから基準濃度パッチデータを取得し、形成色をシアン色、設定濃度を２０％として、画像形成ユニット２０Ｃに基準濃度パッチＣ１を搬送ベルト６８に形成させる。次に、ＣＰＵ２２は、形成色をマゼンタ色、設定濃度を２０％として、画像形成ユニット２０Ｍに基準濃度パッチＭ１を搬送ベルト６８に形成させる。このようにして、ＣＰＵ２２は、上記の制御を基準濃度パッチＣ１からＫ５の全ての基準濃度パッチが搬送ベルト６８に形成されるまで繰り返し行う。
【０１５０】
このように、ＣＰＵ２２は、基準濃度パッチデータメモリ２４ａから基準濃度パッチデータを取得し、その取得した基準濃度パッチデータに基づいて、図１２に示すように基準濃度パッチＣ１からＫ５までの計２０の基準濃度パッチを搬送ベルト６８に形成させる。なお、形成された基準濃度パッチＣ１からＫ５は、濃度測定センサ８０によって濃度がそれぞれ測定される。
【０１５１】
図６の説明に戻る。搬送ベルト６８に形成された基準濃度パッチＣ１からＫ５を濃度測定センサ８０でそれぞれ測定し（Ｓ１２）、各測定濃度を各測定濃度メモリ２５ｂに記憶して（Ｓ１３）、基準濃度パッチ測定処理（Ｓ２）を終了する。
【０１５２】
Ｓ１３の処理では、基準濃度パッチＣ１からＣ５（搬送ベルト６８にシアン色が形成される基準濃度パッチ）の各測定濃度は、シアン測定濃度メモリ２５ｂ１にそれぞれ記憶される。同様に、基準濃度パッチＭ１からＭ５（搬送ベルト６８にマゼンタ色が形成される基準濃度パッチ）の各測定濃度は、マゼンタ測定濃度メモリ２５ｂ２にそれぞれ記憶され、基準濃度パッチＹ１からＹ５（搬送ベルト６８にイエロー色が形成される基準濃度パッチ）の各測定濃度は、イエロー測定濃度メモリ２５ｂ３にそれぞれ記憶され、基準濃度パッチＫ１からＫ５（搬送ベルト６８にブラック色が形成される基準濃度パッチ）の各測定濃度は、ブラック測定濃度メモリ２５ｂ４にそれぞれ記憶される。
【０１５３】
ここで、図１３を参照して、測定濃度メモリ２５ｂに記憶される測定濃度について説明する。図１３は、シアン測定濃度メモリ２５ｂ１に記憶されたシアン測定濃度を示した図である。なお、図１３においては、例として、シアン測定濃度メモリ２５ｂ１に記憶されたシアン測定濃度を示しているが、マゼンタ測定濃度メモリ２５ｂ２に記憶されたマゼンタ測定濃度と、イエロー測定濃度メモリ２５ｂ３に記憶されたイエロー測定濃度と、ブラック測定濃度メモリ２５ｂ４に記憶されたブラック測定濃度とは、シアン測定濃度と同様の構成である。よって、説明を省略する。
【０１５４】
シアン測定濃度メモリ２５ｂ１に記憶されるシアン測定濃度は、基準濃度パッチＣ１からＣ５を濃度測定センサ８０で測定した各測定濃度を示している。よって、基準濃度パッチＣ１を濃度測定センサ８０で測定した測定濃度は、０．１５である。基準濃度パッチＣ２を濃度測定センサ８０で測定した測定濃度は、０．２５である。基準濃度パッチＣ３を濃度測定センサ８０で測定した測定濃度は、０．４０である。基準濃度パッチＣ４を濃度測定センサ８０で測定した測定濃度は、０．６２である。また、基準濃度パッチＣ５を濃度測定センサ８０で測定した測定濃度は、１．００である。
【０１５５】
このように、シアン測定濃度は、基準濃度パッチＣ１からＣ５を濃度測定センサ８０で測定した各測定濃度から構成されている。
【０１５６】
図５の説明に戻る。測定濃度メモリ２５ｂに、基準濃度パッチＣ１からＫ５の全ての測定濃度があると判定された場合（Ｓ１：Ｙｅｓ）、または、基準濃度パッチ測定処理（Ｓ２）が終了した場合には、ディザ面積率検索処理（Ｓ３）に移行する。ここで、図７を参照して、ディザ面積率検索処理について説明する。図７は、ディザ面積率検索処理を示したフローチャートである。
【０１５７】
ディザ面積率検索処理（Ｓ３）は、ディザマトリクスメモリ２４ｃに記憶された各ディザマトリクスの各設定濃度をそれぞれ変化させ、その各ディザマトリクスの各設定濃度を変化させたときの各ディザマトリクスの各面積率と、基準濃度パッチ面積率メモリ２４ｂに記憶された各基準濃度パッチ面積率とが所定の範囲内となったときに、各ディザマトリクスの各設定濃度を対応濃度データメモリ２５ａに記憶する処理である。
【０１５８】
ディザ面積率検索処理（Ｓ３）では、まず標準モード用シアンディザマトリクスメモリ２４ｃ１に記憶された標準モード用シアンディザマトリクス（記録用紙３に形成される画像が標準モードであり、記録用紙３に形成される画像の色がシアン色の場合に使用されるディザマトリクス）の設定濃度を変化させ、標準モード用シアンディザマトリクスの設定濃度を変化させたときの各面積率と、基準濃度パッチ面積率メモリ２４ｂに記憶された各基準濃度パッチ面積率とが所定の範囲内となったときに、標準モード用シアンディザマトリクスの各設定濃度を標準モード用対応濃度シアンデータメモリ２５ａ１に記憶する処理である標準モード用シアン面積率検索処理（Ｓ２１）が実行される。
【０１５９】
ここで、図８を参照して、標準モード用シアン面積率検索処理（Ｓ２１）を説明する。図８は、標準モード用シアン面積率検索処理を示したフローチャートである。標準モード用シアン面積率検索処理（Ｓ２１）では、まず基準濃度パッチの設定濃度であるｎを２０％に設定し（Ｓ３１）、基準濃度パッチの設定濃度が２０％に該当する基準濃度パッチ面積率を基準濃度パッチ面積率メモリ２４ｂから取得する（Ｓ３２）。
【０１６０】
ここで、図１４を参照して、基準濃度パッチ面積率メモリ２４ｂに記憶される基準濃度パッチ面積率について説明する。図１４は、基準濃度パッチ面積率メモリ２４ｂに記憶される基準濃度パッチ面積率を示した図である。基準濃度パッチ面積率メモリ２４ｂには、基準濃度パッチＣ１からＫ５の各設定濃度に対応する面積率が記憶されている。ここで、面積率とは、オンとなるドット数（ハッチングがされたドット数、図１１（ｂ）のＰ１参照）を、基準濃度パッチＣ１からＫ５の各基準濃度パッチを構成する全ドット数（ハッチングがされたドット数とハッチングがされていないドット数との和（図１１（ｂ）のＰ１参照）で除算した値である。従って、基準濃度パッチの設定濃度が２０％であれば、オンとなるドット数の５９を全ドット数である２５６で除算し、約２３％の面積率となる。同様に、基準濃度パッチの設定濃度が４０％であれば、オンとなるドット数の１０８を全ドット数である２５６で除算し、約４２％の面積率となる。基準濃度パッチの設定濃度が６０％であれば、オンとなるドット数の１６２を全ドット数である２５６で除算し、約６３％の面積率となる。基準濃度パッチの設定濃度が８０％であれば、オンとなるドット数の２１０を全ドット数である２５６で除算し、約８２％の面積率となる。また、基準濃度パッチＣ１からＫ５の設定濃度が１００％であれば、オンとなるドット数の２５６を全ドット数である２５６で除算し、約１００％の面積率となる。
【０１６１】
なお、基準濃度パッチ面積率メモリ２４ｂに記憶される基準濃度パッチ面積率は、基準濃度パッチＣ１からＫ５が搬送ベルト６８に形成される色に拘らず、基準濃度パッチＣ１からＫ５の設定濃度毎に記憶されている。これは、基準濃度パッチＣ１からＫ５の各設定濃度が同じであれば、形成パターンが同一だからである（図１１（ｂ）参照）。
【０１６２】
よって、基準濃度パッチＣ１，Ｍ１，Ｙ１，Ｋ１は、それぞれ設定濃度が２０％に設定されているので（図１１（ａ）参照）、面積率は２３％となる。基準濃度パッチＣ２，Ｍ２，Ｙ２，Ｋ２は、それぞれ設定濃度が４０％に設定されているので（図１１（ａ）参照）、面積率は４２％となる。基準濃度パッチＣ３，Ｍ３，Ｙ３，Ｋ３は、それぞれ設定濃度が６０％に設定されているので（図１１（ａ）参照）、面積率は６３％となる。基準濃度パッチＣ４，Ｍ４，Ｙ４，Ｋ４は、それぞれ設定濃度が８０％に設定されているので（図１１（ａ）参照）、面積率は８２％となる。また、基準濃度パッチＣ５，Ｍ５，Ｙ５，Ｋ５は、それぞれ設定濃度が１００％に設定されているので（図１１（ａ）参照）、面積率は１００％となる。
【０１６３】
このように、基準濃度パッチ面積率メモリ２４ｂに記憶される基準濃度パッチ面積率は、基準濃度パッチＣ１からＫ５が搬送ベルト６８に形成される色に拘らず、基準濃度パッチＣ１からＫ５の設定濃度毎に決定されている。
【０１６４】
図８の説明に戻る。Ｓ３２の処理で、基準濃度パッチの設定濃度２０％に該当する基準濃度パッチ面積率２３％を基準濃度パッチ面積率メモリ２４ｂから取得すると、次に、標準モード用シアンディザマトリクスメモリ２４ｃ１から標準モード用シアンディザマトリクスを取得する（Ｓ３３）。そして、標準モード用シアンディザマトリクスの設定濃度であるｄを０（ゼロ）に設定し（Ｓ３４）、標準モード用シアンディザマトリクスの設定濃度が０（ゼロ）％の時の標準モード用シアンディザマトリクスの面積率を算出する（Ｓ３５）。
【０１６５】
ここで、Ｓ３３からＳ３５の処理について、図１５を用いて説明する。図１５は、標準モード用シアンディザマトリクスメモリ２４ｃ１に記憶された標準モード用シアンディザマトリクスを模式的に示した図である。
【０１６６】
標準モード用シアンディザマトリクスは、縦３２×横１６（全５１２）のドットから構成され、その各ドットには閾値が設定されている。標準モード用シアンディザマトリクスの設定濃度ｄ（％）には、０（ゼロ）から２５５までの数値をパーセント（％）で換算した値がＣＰＵ２２から設定される。例えば、標準モード用シアンディザマトリクスの設定濃度が２０％の場合は、ＣＰＵ２２は、数値５１（２０（％）＝５１/２５５×１００）を標準モード用シアンディザマトリクスの設定濃度として設定する。また、例えば、標準モード用シアンディザマトリクスの設定濃度が４０％の場合は、ＣＰＵ２２は、数値１０２（４０（％）＝１０２/２５５×１００）を標準モード用シアンディザマトリクスの設定濃度として設定する。
【０１６７】
標準モード用シアンディザマトリクスは、ＣＰＵ２２により設定された数値が各ドットに設定された閾値以上の場合は、その閾値以上となった各ドットをオンする。よって、標準モード用シアンディザマトリクスの設定濃度ｄが高く設定されれば、オンとなるドット数が増え、面積率が増加する。一方、標準モード用シアンディザマトリクスの設定濃度ｄが低く設定されれば、オンとなるドット数が減り、面積率が減少する。
【０１６８】
なお、標準モード用シアンディザマトリクスの設定濃度ｄが０（ゼロ）％のときは、オンとなるドット数は０（ゼロ）となるので、標準モード用シアンディザマトリクスの面積率も０（ゼロ）％となる。一方、標準モード用シアンディザマトリクスの設定濃度ｄが１００％のときは、オンとなるドット数は５１２となるので、標準モード用シアンディザマトリクスの面積率は１００％となる。
【０１６９】
このようにして、ＣＰＵ２２は、標準モード用マゼンタディザマトリクスの面積率を算出する。なお、標準モード用マゼンタディザマトリクスメモリ２４ｃ２に記憶された標準モード用マゼンタディザマトリクス、標準モード用イエローディザマトリクスメモリ２４ｃ３に記憶された標準モード用イエローディザマトリクス、および標準モード用ブラックディザマトリクスメモリ２４ｃ４に記憶された標準モード用ブラックディザマトリクスの全ドット数は、標準モード用シアンディザマトリクスメモリ２４ｃ１に記憶された標準モード用シアンディザマトリクスと同じであるので説明は省略する。ただし、上記各ディザマトリクスの各ドットに設定されている閾値は、各ディザマトリクス毎に異なっている。
【０１７０】
図８の説明に戻る。Ｓ３５の処理においては、標準モード用シアンディザマトリクスの設定濃度ｄが０（ゼロ）％であるので、面積率は０（ゼロ）％と算出される（Ｓ３５）。次に、算出した標準モード用シアンディザマトリクスの面積率は、Ｓ３２の処理で取得した基準濃度パッチの設定濃度２０％の面積率２３％以上となっているか否かが判定される（Ｓ３６）。
【０１７１】
Ｓ３６の処理においては、Ｓ３５の処理で算出された標準モード用シアンディザマトリクスの面積率は０（ゼロ）％であるので、基準濃度パッチの設定濃度２０％の面積率２３％以上ではないと判定され（Ｓ３６：Ｎｏ）、標準モード用シアンディザマトリクスの設定濃度ｄを１加算し（Ｓ３７）、Ｓ３５の処理に戻る。
【０１７２】
Ｓ３５の処理に戻ると、標準モード用シアンディザマトリクスの設定濃度ｄがＳ３７の処理で１加算された標準モード用シアンディザマトリクスの面積率が再び算出され（Ｓ３５）、Ｓ３２の処理で取得した基準濃度パッチの設定濃度２０％の面積率２３％以上か否かが再び判定される（Ｓ３６）。
【０１７３】
このように、標準モード用シアンディザマトリクスの面積率が、Ｓ３２の処理で取得した基準濃度パッチの設定濃度２０％の面積率２３％以上と判定されるまで、ＣＰＵ２２は、Ｓ３５からＳ３７の処理を繰り返し実行する。
【０１７４】
なお、本実施形態においては、標準モード用シアンディザマトリクスの設定濃度ｄが２７％となった場合に、基準濃度パッチの設定濃度２０％の面積率２３％以上の面積率となる。この場合にＳ３６の処理で「Ｙｅｓ」と判定され、Ｓ３８の処理に移行する。
【０１７５】
Ｓ３６の処理で「Ｙｅｓ」と判定されると、標準モード用シアンディザマトリクスの設定濃度ｄの値である「２７％」を基準濃度パッチの設定濃度ｎの値である「２０％」に対応する設定濃度とし、標準モード用対応濃度シアンデータメモリ２５ａ１に記憶して（Ｓ３８）、基準濃度パッチの設定濃度ｎが１００％以上か否かを判定する（Ｓ３９）。基準濃度パッチの設定濃度ｎが１００％以上でなければ（Ｓ３９：Ｎｏ）、基準濃度パッチの設定濃度ｎに２０加算し（Ｓ４０），Ｓ３２の処理に戻る。
【０１７６】
Ｓ４０の処理で、基準濃度パッチの設定濃度ｎが２０加算され４０％となると（Ｓ４０）、基準濃度パッチの設定濃度を４０％としてＳ３２以降の処理が行われる。このように、ＣＰＵ２２は、Ｓ３２以降の処理が繰り返し実行し、Ｓ３９の処理で基準濃度パッチの設定濃度ｎが１００％以上と判定すると（Ｓ３９：Ｙｅｓ）、この標準モード用シアンディザ面積率検索処理（Ｓ２１）を終了する。
【０１７７】
なお、Ｓ３９の処理で基準濃度パッチの設定濃度ｎが１００％以上と判定されると（Ｓ３９：Ｙｅｓ）、全ての基準濃度パッチ面積率（基準濃度パッチの設定濃度２０％の時の面積率、基準濃度パッチの設定濃度４０％の時の面積率、基準濃度パッチの設定濃度６０％の時の面積率、基準濃度パッチの設定濃度８０％の時の面積率、基準濃度パッチの設定濃度１００％の時の面積率）について、このＳ３２以降の処理が完了したこととなるので、この標準モード用シアンディザ面積率検索処理を終了するのである。
【０１７８】
なお、本実施形態においては、標準モード用シアンディザマトリクスの設定濃度ｄが４８％となった場合に、基準濃度パッチの設定濃度４０％の面積率４２％以上の面積率となり、Ｓ３６の処理で「Ｙｅｓ」と判定され、Ｓ３８の処理に移行する。また、標準モード用シアンディザマトリクスの設定濃度ｄが７０％となった場合に、基準濃度パッチの設定濃度６０％の面積率６３％以上の面積率となり、Ｓ３６の処理で「Ｙｅｓ」と判定され、Ｓ３８の処理に移行する。また、標準モード用シアンディザマトリクスの設定濃度ｄが９１％となった場合に、基準濃度パッチの設定濃度８０％の面積率８２％以上の面積率となり、Ｓ３６の処理で「Ｙｅｓ」と判定され、Ｓ３８の処理に移行する。最後に、標準モード用シアンディザマトリクスの設定濃度ｄが１００％となった場合に、基準濃度パッチの設定濃度１００％の面積率１００％以上の面積率となり、Ｓ３６の処理で「Ｙｅｓ」と判定され、Ｓ３８の処理に移行する。
【０１７９】
また、Ｓ３６の処理の判定においては、算出した標準モード用シアンディザマトリクスの面積率が、Ｓ３２の処理で取得した基準濃度パッチ面積率以上となっているか否かで判定を行うので、Ｓ３５の処理で実行される標準モード用シアンディザマトリクスの面積率の算出による算出誤差に対応することができる。
【０１８０】
また、面積率の所定の範囲内とは、Ｓ３６の処理の基準濃度パッチ面積率以上か否かの判定を示している。ただし、これに限られるものではなく、例えば、Ｓ３６の処理では、Ｓ３５で算出した標準モード用シアンディザマトリクスの面積率は、Ｓ３２の処理で取得した基準濃度パッチ面積率の±５％以内の面積率となっているか否かを判定するようにしても良い。
【０１８１】
この標準モード用シアンディザ面積率検索処理（Ｓ２１）で作成された標準モード用対応濃度シアンデータについて、図１７を用いて説明する。図１７は、標準モード用対応濃度シアンデータが記憶される標準モード用対応濃度シアンデータメモリ２５ａ１の内容を示した図である。
【０１８２】
なお、図１７においては、例として、標準モード用対応濃度シアンデータメモリ２５ａ１に記憶された標準モード用対応濃度シアンデータを示しているが、標準モード用対応濃度マゼンタデータメモリ２５ａ２に記憶された標準モード用対応濃度マゼンタデータと、標準モード用対応濃度イエローデータメモリ２５ａ３に記憶された標準モード用対応濃度イエローデータと、標準モード用対応濃度ブラックデータメモリ２５ａ４に記憶された標準モード用対応濃度ブラックデータと、高品質モード用対応濃度シアンデータメモリ２５ａ５に記憶された高品質モード用対応濃度シアンデータと、高品質モード用対応濃度マゼンタデータメモリ２５ａ６に記憶された高品質モード用対応濃度マゼンタデータと、高品質モード用対応濃度イエローデータメモリ２５ａ７に記憶された高品質モード用対応濃度イエローデータと、高品質モード用対応濃度ブラックデータメモリ２５ａ８に記憶された高品質モード用対応濃度ブラックデータとは、標準モード用対応濃度シアンデータメモリ２５ａ１に記憶された標準モード用対応濃度シアンデータと同様の構成である。よって、説明を省略する。
【０１８３】
標準モード用対応濃度シアンデータメモリ２５ａ１に記憶される標準モード用対応濃度シアンデータは、図８に示す標準モード用シアンディザ面積率検索処理のＳ３６の処理で基準濃度パッチ面積率メモリ２４ｂに記憶された各基準濃度パッチ面積率以上となった標準モード用シアンディザマトリクスの各設定濃度を示している。よって、基準濃度パッチの設定濃度２０％の面積率である２３％以上の面積率となった標準モード用シアンディザマトリクスの設定濃度の２７％が標準モード用対応濃度シアンデータメモリ２５ａ１に記憶される。また、基準濃度パッチの設定濃度４０％の面積率である４２％以上の面積率となった標準モード用シアンディザマトリクスの設定濃度の４８％が標準モード用対応濃度シアンデータメモリ２５ａ１に記憶される。また、基準濃度パッチの設定濃度６０％の面積率である６３％以上の面積率となった標準モード用シアンディザマトリクスの設定濃度の７０％が標準モード用対応濃度シアンデータメモリ２５ａ１に記憶される。また、基準濃度パッチの設定濃度８０％の面積率である８２％以上の面積率となった標準モード用シアンディザマトリクスの設定濃度の９１％が標準モード用対応濃度シアンデータメモリ２５ａ１に記憶される。最後に、基準濃度パッチの設定濃度１００％の面積率である１００％以上の面積率となった標準モード用シアンディザマトリクスの設定濃度の１００％が標準モード用対応濃度シアンデータメモリ２５ａ１に記憶される。
【０１８４】
このように、標準モード用対応濃度シアンデータメモリ２５ａ１の標準モード用対応濃度シアンデータは、図８に示す標準モード用シアンディザ面積率検索処理のＳ３６の処理で基準濃度パッチ面積率メモリ２４ｂに記憶された基準濃度パッチ面積率以上となった標準モード用シアンディザマトリクスの各設定濃度から構成されている。
【０１８５】
図７の説明に戻る。Ｓ２１の処理の終了後、標準モード用マゼンタディザマトリクスメモリ２４ｃ２に記憶された標準モード用マゼンタディザマトリクス（記録用紙３に形成される画像が標準モードであり、記録用紙３に形成される画像の色がマゼンタ色の場合に使用されるディザマトリクス）の設定濃度を変化させ、標準モード用マゼンタディザマトリクスの設定濃度を変化させたときの各面積率と、基準濃度パッチ面積率メモリ２４ｂに記憶された各基準濃度パッチ面積率とが所定の範囲内となったときに、標準モード用マゼンタディザマトリクスの各設定濃度を標準モード用対応濃度マゼンタデータメモリ２５ａ２に記憶する処理である標準モード用マゼンタ面積率検索処理（Ｓ２２）が実行される。
【０１８６】
なお、この標準モード用マゼンタ面積率検索処理（Ｓ２２）は、図８に示す標準モード用シアン面積率検索処理（Ｓ２１）のＳ３３の処理およびＳ３８の処理が異なり、他の処理は同じである。よって、異なる処理のみを説明する。
【０１８７】
標準モード用マゼンタ面積率検索処理（Ｓ２２）では、図８に示す標準モード用シアン面積率検索処理（Ｓ２１）のＳ３３の処理が、「標準モード用マゼンタディザマトリクスメモリ２４ｃ２から標準モード用マゼンタディザマトリクスを取得する」となる。
【０１８８】
また、標準モード用マゼンタ面積率検索処理（Ｓ２２）では、図８に示す標準モード用シアン面積率検索処理（Ｓ２１）のＳ３８の処理が、「標準モード用マゼンタディザマトリクスの設定濃度ｄの値を基準濃度パッチの設定濃度ｎの値に対応する設定濃度とし、標準モード用対応濃度マゼンタデータメモリ２５ａ２に記憶する」となる。
【０１８９】
この標準モード用マゼンタ面積率検索処理（Ｓ２２）により、標準モード用対応濃度マゼンタデータが作成され、標準モード用対応濃度マゼンタデータメモリ２５ａ２に記憶される。
【０１９０】
Ｓ２２の処理の終了後、標準モード用イエローディザマトリクスメモリ２４ｃ３に記憶された標準モード用イエローディザマトリクス（記録用紙３に形成される画像が標準モードであり、記録用紙３に形成される画像の色がイエロー色の場合に使用されるディザマトリクス）の設定濃度を変化させ、標準モード用イエローディザマトリクスの設定濃度を変化させたときの各面積率と、基準濃度パッチ面積率メモリ２４ｂに記憶された各基準濃度パッチ面積率とが所定の範囲内となったときに、標準モード用イエローディザマトリクスの各設定濃度を標準モード用対応濃度イエローデータメモリ２５ａ３に記憶する処理である標準モード用イエロー面積率検索処理（Ｓ２３）が実行される。
【０１９１】
なお、この標準モード用イエロー面積率検索処理（Ｓ２３）は、図８に示す標準モード用シアン面積率検索処理（Ｓ２１）のＳ３３の処理およびＳ３８の処理が異なり、他の処理は同じである。よって、異なる処理のみを説明する。
【０１９２】
標準モード用イエロー面積率検索処理（Ｓ２３）では、図８に示す標準モード用シアン面積率検索処理（Ｓ２１）のＳ３３の処理が、「標準モード用イエローディザマトリクスメモリ２４ｃ３から標準モード用イエローディザマトリクスを取得する」となる。
【０１９３】
また、標準モード用イエロー面積率検索処理（Ｓ２３）では、図８に示す標準モード用シアン面積率検索処理（Ｓ２１）のＳ３８の処理が、「標準モード用イエローディザマトリクスの設定濃度ｄの値を基準濃度パッチの設定濃度ｎの値に対応する設定濃度とし、標準モード用対応濃度イエローデータメモリ２５ａ３に記憶する」となる。
【０１９４】
この標準モード用イエロー面積率検索処理（Ｓ２３）により、標準モード用対応濃度イエローデータが作成され、標準モード用対応濃度イエローデータメモリ２５ａ３に記憶される。
【０１９５】
Ｓ２３の処理の終了後、標準モード用ブラックディザマトリクスメモリ２４ｃ４に記憶された標準モード用ブラックディザマトリクス（記録用紙３に形成される画像が標準モードであり、記録用紙３に形成される画像の色がブラック色の場合に使用されるディザマトリクス）の設定濃度を変化させ、標準モード用ブラックディザマトリクスの設定濃度を変化させたときの各面積率と、基準濃度パッチ面積率メモリ２４ｂに記憶された各基準濃度パッチ面積率とが所定の範囲内となったときに、標準モード用ブラックディザマトリクスの各設定濃度を標準モード用対応濃度ブラックデータメモリ２５ａ４に記憶する処理である標準モード用ブラック面積率検索処理（Ｓ２４）が実行される。
【０１９６】
なお、この標準モード用ブラック面積率検索処理（Ｓ２４）は、図８に示す標準モード用シアン面積率検索処理（Ｓ２１）のＳ３３の処理およびＳ３８の処理が異なり、他の処理は同じである。よって、異なる処理のみを説明する。
【０１９７】
標準モード用ブラック面積率検索処理（Ｓ２４）では、図８に示す標準モード用シアン面積率検索処理（Ｓ２１）のＳ３３の処理が、「標準モード用ブラックディザマトリクスメモリ２４ｃ４から標準モード用ブラックディザマトリクスを取得する」となる。
【０１９８】
また、標準モード用ブラック面積率検索処理（Ｓ２４）では、図８に示す標準モード用シアン面積率検索処理（Ｓ２１）のＳ３８の処理が、「標準モード用ブラックディザマトリクスの設定濃度ｄの値を基準濃度パッチの設定濃度ｎの値に対応する設定濃度とし、標準モード用対応濃度ブラックデータメモリ２５ａ４に記憶する」となる。
【０１９９】
この標準モード用ブラック面積率検索処理（Ｓ２４）により、標準モード用対応濃度ブラックデータが作成され、標準モード用対応濃度ブラックデータメモリ２５ａ４に記憶される。
【０２００】
Ｓ２４の処理の終了後、高品質モード用シアンディザマトリクスメモリ２４ｃ５に記憶された高品質モード用シアンディザマトリクス（記録用紙３に形成される画像が高品質モードであり、記録用紙３に形成される画像の色がシアン色の場合に使用されるディザマトリクス）の設定濃度を変化させ、高品質モード用シアンディザマトリクスの設定濃度を変化させたときの各面積率と、基準濃度パッチ面積率メモリ２４ｂに記憶された各基準濃度パッチ面積率とが所定の範囲内となったときに、高品質モード用シアンディザマトリクスの各設定濃度を高品質モード用対応濃度シアンデータメモリ２５ａ５に記憶する処理である高品質モード用シアン面積率検索処理（Ｓ２５）が実行される。
【０２０１】
なお、この高品質モード用シアン面積率検索処理（Ｓ２５）は、図８に示す標準モード用シアン面積率検索処理（Ｓ２１）のＳ３３の処理およびＳ３８の処理が異なり、他の処理は同じである。よって、異なる処理のみを説明する。
【０２０２】
高品質モード用シアン面積率検索処理（Ｓ２５）では、図８に示す標準モード用シアン面積率検索処理（Ｓ２１）のＳ３３の処理が、「高品質モード用シアンディザマトリクスメモリ２４ｃ５から高品質モード用シアンディザマトリクスを取得する」となる。
【０２０３】
また、高品質モード用シアン面積率検索処理（Ｓ２５）では、図８に示す標準モード用シアン面積率検索処理（Ｓ２１）のＳ３８の処理が、「高品質モード用シアンディザマトリクスの設定濃度ｄの値を基準濃度パッチの設定濃度ｎの値に対応する設定濃度とし、高品質モード用対応濃度シアンデータメモリ２５ａ５に記憶する」となる。
【０２０４】
この高品質モード用シアン面積率検索処理（Ｓ２５）により、高品質モード用対応濃度シアンデータが作成され、高品質モード用対応濃度シアンデータメモリ２５ａ５に記憶される。
【０２０５】
ここで、図１６を参照して、高品質モード用シアンディザマトリクスについて説明する。図１６は、高品質モード用シアンディザマトリクスメモリ２４ｃ５に記憶された高品質モード用シアンディザマトリクスを模式的に示した図である。
【０２０６】
高品質モード用シアンディザマトリクスは、縦２４×横２４（全５７６）のドットから構成され、その各ドットには閾値が設定されている。高品質モード用シアンディザマトリクスの設定濃度ｄ（％）は、０（ゼロ）から２５５までの数値をパーセント（％）で換算した値がＣＰＵ２２から設定される。例えば、高品質モード用シアンディザマトリクスの設定濃度が２０％の場合は、ＣＰＵ２２は、数値５１（２０（％）＝５１/２５５×１００）を高品質モード用シアンディザマトリクスの設定濃度として設定する。また、例えば、高品質モード用シアンディザマトリクスの設定濃度が４０％の場合は、ＣＰＵ２２は、数値１０２（４０（％）＝１０２/２５５×１００）を高品質モード用シアンディザマトリクスの設定濃度として設定する。
【０２０７】
高品質モード用シアンディザマトリクスは、ＣＰＵ２２により与えられた数値が各ドットに設定された閾値以上の場合は、その閾値以上となった各ドットをオンする。よって、高品質モード用シアンディザマトリクスの設定濃度ｄが高くなれば、オンとなるドット数が増え、面積率が増加する。一方、高品質モード用シアンディザマトリクスの設定濃度ｄが低くなれば、オンとなるドット数が減り、面積率が減少する。
【０２０８】
なお、高品質モード用シアンディザマトリクスの設定濃度ｄが０（ゼロ）％のときは、オンとなるドット数は０（ゼロ）であるので、高品質モード用シアンディザマトリクスの面積率も０（ゼロ）％となる。一方、標準モード用シアンディザマトリクスの設定濃度ｄが１００％のときは、オンとなるドット数は５７６であるので、高品質モード用シアンディザマトリクスの面積率は１００％となる。
【０２０９】
なお、高品質モード用マゼンタディザマトリクスメモリ２４ｃ６に記憶された高品質モード用マゼンタディザマトリクス、高品質モード用イエローディザマトリクスメモリ２４ｃ７に記憶された高品質モード用イエローディザマトリクス、および高品質モード用ブラックディザマトリクスメモリ２４ｃ８に記憶された高品質モード用ブラックディザマトリクスの全ドット数は、高品質モード用シアンディザマトリクスメモリ２４ｃ５に記憶された高品質モード用シアンディザマトリクスと同じであるので説明は省略する。ただし、上記各ディザマトリクスの各ドットに設定されている閾値は、各ディザマトリクス毎に異なっている。
【０２１０】
図７の説明に戻る。Ｓ２５の処理の終了後、高品質モード用マゼンタディザマトリクスメモリ２４ｃ６に記憶された高品質モード用マゼンタディザマトリクス（記録用紙３に形成される画像が高品質モードであり、記録用紙３に形成される画像の色がマゼンタ色の場合に使用されるディザマトリクス）の設定濃度を変化させ、高品質モード用マゼンタディザマトリクスの設定濃度を変化させたときの各面積率と、基準濃度パッチ面積率メモリ２４ｂに記憶された各基準濃度パッチ面積率とが所定の範囲内となったときに、高品質モード用マゼンタディザマトリクスの各設定濃度を高品質モード用対応濃度マゼンタデータメモリ２５ａ６に記憶する処理である高品質モード用マゼンタ面積率検索処理（Ｓ２６）が実行される。
【０２１１】
なお、この高品質モード用マゼンタ面積率検索処理（Ｓ２６）は、図８に示す標準モード用シアン面積率検索処理（Ｓ２１）のＳ３３の処理およびＳ３８の処理が異なり、他の処理は同じである。よって、異なる処理のみを説明する。
【０２１２】
高品質モード用マゼンタ面積率検索処理（Ｓ２６）では、図８に示す標準モード用シアン面積率検索処理（Ｓ２１）のＳ３３の処理が、「高品質モード用マゼンタディザマトリクスメモリ２４ｃ６から高品質モード用マゼンタディザマトリクスを取得する」となる。
【０２１３】
また、高品質モード用マゼンタ面積率検索処理（Ｓ２６）では、図８に示す標準モード用シアン面積率検索処理（Ｓ２１）のＳ３８の処理が、「高品質モード用マゼンタディザマトリクスの設定濃度ｄの値を基準濃度パッチの設定濃度ｎの値に対応する設定濃度とし、高品質モード用対応濃度マゼンタデータメモリ２５ａ６に記憶する」となる。
【０２１４】
この高品質モード用マゼンタ面積率検索処理（Ｓ２６）により、高品質モード用対応濃度マゼンタデータが作成され、高品質モード用対応濃度マゼンタデータメモリ２５ａ６に記憶される。
【０２１５】
Ｓ２６の処理の終了後、高品質モード用イエローディザマトリクスメモリ２４ｃ７に記憶された高品質モード用イエローディザマトリクス（記録用紙３に形成される画像が高品質モードであり、記録用紙３に形成される画像の色がイエロー色の場合に使用されるディザマトリクス）の設定濃度を変化させ、高品質モード用イエローディザマトリクスの設定濃度を変化させたときの各面積率と、基準濃度パッチ面積率メモリ２４ｂに記憶された各基準濃度パッチ面積率とが所定の範囲内となったときに、高品質モード用イエローディザマトリクスの各設定濃度を高品質モード用対応濃度イエローデータメモリ２５ａ７に記憶する処理である高品質モード用イエロー面積率検索処理（Ｓ２７）が実行される。
【０２１６】
なお、この高品質モード用イエロー面積率検索処理（Ｓ２７）は、図８に示す標準モード用シアン面積率検索処理（Ｓ２１）のＳ３３の処理およびＳ３８の処理が異なり、他の処理は同じである。よって、異なる処理のみを説明する。
【０２１７】
高品質モード用イエロー面積率検索処理（Ｓ２７）では、図８に示す標準モード用シアン面積率検索処理（Ｓ２１）のＳ３３の処理が、「高品質モード用イエローディザマトリクスメモリ２４ｃ７から高品質モード用イエローディザマトリクスを取得する」となる。
【０２１８】
また、高品質モード用イエロー面積率検索処理（Ｓ２７）では、図８に示す標準モード用シアン面積率検索処理（Ｓ２１）のＳ３８の処理が、「高品質モード用イエローディザマトリクスの設定濃度ｄの値を基準濃度パッチの設定濃度ｎの値に対応する設定濃度とし、高品質モード用対応濃度イエローデータメモリ２５ａ７に記憶する」となる。
【０２１９】
この高品質モード用イエロー面積率検索処理（Ｓ２７）により、高品質モード用対応濃度イエローデータが作成され、高品質モード用対応濃度イエローデータメモリ２５ａ７に記憶される。
【０２２０】
Ｓ２７の処理の終了後、高品質モード用ブラックディザマトリクスメモリ２４ｃ８に記憶された高品質モード用ブラックディザマトリクス（記録用紙３に形成される画像が高品質モードであり、記録用紙３に形成される画像の色がブラック色の場合に使用されるディザマトリクス）の設定濃度を変化させ、高高品質モード用ブラックディザマトリクスの設定濃度を変化させたときの各面積率と、基準濃度パッチ面積率メモリ２４ｂに記憶された各基準濃度パッチ面積率とが所定の範囲内となったときに、高品質モード用ブラックディザマトリクスの各設定濃度を高品質モード用対応濃度ブラックデータメモリ２５ａ８に記憶する処理である高品質モード用ブラック面積率検索処理（Ｓ２８）が実行される。
【０２２１】
なお、この高品質モード用ブラック面積率検索処理（Ｓ２８）は、図８に示す標準モード用シアン面積率検索処理（Ｓ２１）のＳ３３の処理およびＳ３８の処理が異なり、他の処理は同じである。よって、異なる処理のみを説明する。
【０２２２】
高品質モード用ブラック面積率検索処理（Ｓ２８）では、図８に示す標準モード用シアン面積率検索処理（Ｓ２１）のＳ３３の処理が、「高品質モード用ブラックディザマトリクスメモリ２４ｃ８から高品質モード用ブラックディザマトリクスを取得する」となる。
【０２２３】
また、高品質モード用ブラック面積率検索処理（Ｓ２８）では、図８に示す標準モード用シアン面積率検索処理（Ｓ２１）のＳ３８の処理が、「高品質モード用ブラックディザマトリクスの設定濃度ｄの値を基準濃度パッチの設定濃度ｎの値に対応する設定濃度とし、高品質モード用対応濃度ブラックデータメモリ２５ａ８に記憶する」となる。
【０２２４】
この高品質モード用ブラック面積率検索処理（Ｓ２８）により、高品質モード用対応濃度ブラックデータが作成され、高品質モード用対応濃度ブラックデータメモリ２５ａ８に記憶される。
【０２２５】
このＳ２８の処理の終了後、ディザ面積率検索処理（Ｓ３）を終了する。このディザ面積率検索処理（Ｓ３）によって、ディザマトリクスメモリ２４ｃに記憶された各ディザマトリクスの各設定濃度をそれぞれ変化させ、その各ディザマトリクスの各設定濃度を変化させたときの各ディザマトリクスの各面積率と、基準濃度パッチ面積率メモリ２４ｂに記憶された各基準濃度パッチ面積率とが所定の範囲内となったときの、各ディザマトリクスの各設定濃度を対応濃度データメモリ２５ａに記憶させることができる。
【０２２６】
図５の説明に戻る。ディザ面積率検索処理（Ｓ３）が終了すると、補正テーブル作成処理（Ｓ４）に移行し、補正テーブル作成処理（Ｓ４）終了後、この濃度補正処理を終了する。ここで、図９を参照して、補正テーブル作成処理（Ｓ４）について説明する。図９は、補正テーブル作成処理（Ｓ４）を示したフローチャートである。
【０２２７】
補正テーブル作成処理（Ｓ４）は、記録用紙３に形成される画像の各濃度が、目標データメモリ２５ｅのそれぞれに記憶される各測定濃度の目標値となるように各ディザマトリクスの各設定濃度を適切に補正するための補正テーブルを作成する処理である。
【０２２８】
補正テーブル作成処理（Ｓ４）では、まず標準モード用シアンディザマトリクスメモリ２４ｃ１に記憶された標準モード用シアンディザマトリクス（記録用紙３に形成される画像が標準モードであり、記録用紙３に形成される画像の色がシアン色の場合に使用されるディザマトリクス）を用いて形成される画像の濃度が、標準モード用シアン目標データメモリ２５ｅ１に記憶される各測定濃度の目標値となるように、標準モード用シアンディザマトリクスの各設定濃度を適切に補正するための標準モード用シアン補正テーブルを作成する処理である標準モード用シアン補正テーブル作成処理（Ｓ５１）が実行される。
【０２２９】
ここで、図１０を用いて、標準モード用シアン補正テーブル作成処理（Ｓ５１）を説明する。図１０は、標準モード用シアン補正テーブル作成処理（Ｓ５１）を示したフローチャートである。標準モード用シアン補正テーブル作成処理（Ｓ５１）では、まずシアン測定濃度メモリ２５ｂ１からシアン測定濃度を取得し（Ｓ６１、図１３参照）、標準モード用対応濃度シアンデータメモリ２５ａ１から標準モード用対応濃度シアンデータを取得する（Ｓ６２、図１７参照）。
【０２３０】
次に、Ｓ６１の処理で取得したシアン測定濃度とＳ６２で取得した標準モード用対応濃度シアンデータを対応付けて、標準モード用対応測定シアンデータメモリ２５ｃ１に記憶する（Ｓ６３）。
【０２３１】
ここで、Ｓ６１からＳ６３の処理によって作成される標準モード用対応測定シアンデータについて、図１８を用いて説明する。図１８は、標準モード用対応測定シアンデータが記憶された標準モード用対応測定シアンデータメモリ２５ｃ１の内容を示した図である。
【０２３２】
なお、図１８においては、例として、標準モード用対応測定シアンデータメモリ２５ｃ１に記憶された標準モード用対応測定シアンデータを示しているが、標準モード用対応測定マゼンタデータメモリ２５ｃ２に記憶された標準モード用対応測定マゼンタデータと、標準モード用対応測定イエローデータメモリ２５ｃ３に記憶された標準モード用対応測定イエローデータと、標準モード用対応測定ブラックデータメモリ２５ｃ４に記憶された標準モード用対応測定ブラックデータと、高品質モード用対応測定シアンデータメモリ２５ｃ５に記憶された高品質モード用対応測定シアンデータと、高品質モード用対応測定マゼンタデータメモリ２５ｃ６に記憶された高品質モード用対応測定マゼンタデータと、高品質モード用対応測定イエローデータメモリ２５ｃ７に記憶された高品質モード用対応測定イエローデータと、高品質モード用対応測定ブラックデータメモリ２５ｃ８に記憶された高品質モード用対応測定ブラックデータとは、標準モード用対応測定シアンデータメモリ２５ｃ１に記憶された標準モード用対応測定シアンデータと同様の構成である。よって、説明を省略する。
【０２３３】
標準モード用対応測定シアンデータメモリ２５ｃ１に記憶される標準モード用対応測定シアンデータは、標準モード用対応濃度シアンデータメモリ２５ａ１に記憶された標準モード用シアンディザマトリクスの各設定濃度（図１７参照）に、シアン測定濃度メモリ２５ｂ１に記憶された基準濃度パッチＣ１からＣ５を濃度測定センサ８０で測定した各測定濃度（図１３参照）を対応付けたデータから構成されている。
【０２３４】
標準モード用対応濃度シアンデータメモリ２５ａ１に記憶された標準モード用シアンディザマトリクスの各設定濃度と、シアン測定濃度メモリ２５ｂ１に記憶された基準濃度パッチＣ１からＣ５を濃度測定センサ８０で測定した各測定濃度を対応付けした標準モード用シアン対応測定データにより、標準モード用シアンディザマトリクスの各設定濃度時の各濃度を濃度測定センサ８０で測定することなく、標準モード用シアンディザマトリクスの各設定濃度時の各測定濃度を設定することができる。
【０２３５】
図１０の説明に戻る。Ｓ６３の処理後、標準モード用対応測定シアンデータメモリ２５ｃ１に記憶された標準モード用対応測定シアンデータを直線補間方法により補間し、標準モード用シアン補間データメモリ２５ｄ１に記憶する（Ｓ６４）。このＳ６４の処理により作成される標準モード用シアン補間データは、標準モード用対応測定シアンデータメモリ２５ｃ１に記憶された標準モード用対応測定シアンデータ（図１８参照）のよりも詳細なデータで構成される。このように、標準モード用対応測定シアンデータメモリ２５ｃ１に記憶された標準モード用対応測定シアンデータを直線補間方法により補間して、標準モード用シアン補間データを算出することで、標準モード用シアン目標データメモリ２５ｅ１に記憶された標準モード用シアン目標データとの対比が容易となる。なお、補間方法については、直線補間方法のみならず、スプライン補間方法等を採用しても良い。
【０２３６】
次に、標準モード用シアン補間データメモリ２５ｄ１から標準モード用シアン補間データを、標準モード用シアン目標データメモリ２５ｅ１から標準モード用シアン目標データをそれぞれ取得し、標準モード用シアン補正テーブルを作成し、標準モード用シアン補正テーブルメモリ２４ｄ１に記憶する（Ｓ６５）。Ｓ６５の処理後、標準モード用シアン補正テーブル作成処理を終了する。
【０２３７】
ここで、Ｓ６４からＳ６５の処理について、図１９を用いて説明する。図１９（ａ）は、標準モード用シアン補間データメモリ２５ｄ１に記憶された標準モード用シアン補間データを示した図であり、図１９（ｂ）は、標準モード用シアン目標データメモリ２５ｅ１に記憶された標準モード用シアン目標データを示した図である。また、図１９（ｃ）は、標準モード用シアン補間データメモリ２５ｄ１に記憶された標準モード用シアン補間データと、標準モード用シアン目標データメモリ２５ｅ１に記憶された標準モード用シアン目標データとをプロットしたグラフであり、図１９（ｄ）は、標準モード用シアン補正テーブルメモリ２４ｄ１に記憶された標準モード用シアン補正テーブルを示した図である。
【０２３８】
なお、図１９（ａ）においては、例として、標準モード用シアン補間データメモリ２５ｄ１に記憶された標準モード用シアン補間データを示しているが、標準モード用マゼンタ補間データメモリ２５ｄ２に記憶された標準モード用マゼンタ補間データと、標準モード用イエロー補間データメモリ２５ｄ３に記憶された標準モード用イエロー補間データと、標準モード用ブラック補間データメモリ２５ｄ４に記憶された標準モード用ブラック補間データと、高品質モード用シアン補間データメモリ２５ｄ５に記憶された高品質モード用シアン補間データと、高品質モード用マゼンタ補間データメモリ２５ｄ６に記憶された高品質モード用マゼンタ補間データと、高品質モード用イエロー補間データメモリ２５ｄ７に記憶された高品質モード用イエロー補間データと、高品質モード用ブラック補間データメモリ２５ｄ８に記憶された高品質モード用ブラック補間データとは、標準モード用シアン補間データメモリ２５ｄ１に記憶された標準モード用シアン補間データと同様の構成である。よって、説明を省略する。
【０２３９】
また、図１９（ｂ）においては、例として、標準モード用シアン目標データメモリ２５ｅ１に記憶された標準モード用シアン目標データを示しているが、標準モード用マゼンタ目標データメモリ２５ｅ２に記憶された標準モード用マゼンタ目標データと、標準モード用イエロー目標データメモリ２５ｅ３に記憶された標準モード用イエロー目標データと、標準モード用ブラック目標データメモリ２５ｅ４に記憶された標準モード用ブラック目標データと、高品質モード用シアン目標データメモリ２５ｅ５に記憶された高品質モード用シアン目標データと、高品質モード用マゼンタ目標データメモリ２５ｅ６に記憶された高品質モード用マゼンタ目標データと、高品質モード用イエロー目標データメモリ２５ｅ７に記憶された高品質モード用イエロー目標データと、高品質モード用ブラック目標データメモリ２５ｅ８に記憶された高品質モード用ブラック目標データとは、標準モード用シアン目標データメモリ２５ｅ１に記憶された標準モード用シアン目標データと同様の構成である。よって、説明を省略する。
【０２４０】
また、図１９（ｃ）においては、例として、標準モード用シアン補間データメモリ２５ｄ１に記憶された標準モード用シアン補間データと、標準モード用シアン目標データメモリ２５ｅ１に記憶された標準モード用シアン目標データとをプロットしたグラフを示している。ただし、標準モード用マゼンタ補間データメモリ２５ｄ２に記憶された標準モード用マゼンタ補間データおよび標準モード用マゼンタ目標データメモリ２５ｅ２に記憶された標準モード用マゼンタ目標データをプロットしたグラフと、標準モード用イエロー補間データメモリ２５ｄ３に記憶された標準モード用イエロー補間データおよび標準モード用イエロー目標データメモリ２５ｅ３に記憶された標準モード用イエロー目標データをプロットしたグラフと、標準モード用ブラック補間データメモリ２５ｄ４に記憶された標準モード用ブラック補間データおよび標準モード用ブラック目標データメモリ２５ｅ４に記憶された標準モード用ブラック目標データをプロットしたグラフと、高品質モード用シアン補間データメモリ２５ｄ５に記憶された高品質モード用シアン補間データおよび高品質モード用シアン目標データメモリ２５ｅ５に記憶された高品質モード用シアン目標データをプロットしたグラフと、高品質モード用マゼンタ補間データメモリ２５ｄ６に記憶された高品質モード用マゼンタ補間データおよび高品質モード用マゼンタ目標データメモリ２５ｅ６に記憶された高品質モード用マゼンタ目標データをプロットしたグラフと、高品質モード用イエロー補間データメモリ２５ｄ７に記憶された高品質モード用イエロー補間データおよび高品質モード用イエロー目標データメモリ２５ｅ７に記憶された高品質モード用イエロー目標データをプロットしたグラフと、高品質モード用ブラック補間データメモリ２５ｄ８に記憶された高品質モード用ブラック補間データおよび高品質モード用ブラック目標データメモリ２５ｅ８に記憶された高品質モード用ブラック目標データをプロットしたグラフとは、標準モード用シアン補間データメモリ２５ｄ１に記憶された標準モード用シアン補間データおよび標準モード用シアン目標データメモリ２５ｅ１に記憶された標準モード用シアン目標データをプロットしたグラフと同様の構成である。よって、説明を省略する。
【０２４１】
また、図１９（ｄ）においては、例として、標準モード用シアン補正テーブルメモリ２４ｄ１に記憶された標準モード用シアン補正テーブルを示しているが、標準モード用マゼンタ補正テーブルメモリ２４ｄ２に記憶された標準モード用マゼンタ補正テーブルと、標準モード用イエロー補正テーブルメモリ２４ｄ３に記憶された標準モード用イエロー補正テーブルと、標準モード用ブラック補正テーブルメモリ２４ｄ４に記憶された標準モード用ブラック補正テーブルと、高品質モード用シアン補正テーブルメモリ２４ｄ５に記憶された高品質モード用シアン補正テーブルと、高品質モード用マゼンタ補正テーブルメモリ２４ｄ６に記憶された高品質モード用マゼンタ補正テーブルと、高品質モード用イエロー補正テーブルメモリ２４ｄ７に記憶された高品質モード用イエロー補正テーブルと、高品質モード用ブラック補正テーブルメモリ２４ｄ８に記憶された高品質モード用ブラック補正テーブルとは、標準モード用シアン補正テーブルメモリ２４ｄ１に記憶された標準モード用シアン補正テーブルと同様の構成である。よって、説明を省略する。
【０２４２】
図１９（ａ）に示すように、標準モード用シアン補間データメモリ２５ｄ１には、標準モード用対応測定シアンデータメモリ２５ｃ１に記憶された標準モード用対応測定シアンデータを直線補間方法により補間した値である標準モード用シアン補間データが記憶されている。このように、標準モード用対応測定シアンデータメモリ２５ｃ１に記憶された標準モード用対応測定シアンデータを直線補間方法により補間して、標準モード用シアン補間データを算出することで、図１９（ｂ）に示す標準モード用シアン目標データメモリ２５ｅ１に記憶された標準モード用シアン目標データとの対比が容易となる。
【０２４３】
図１９（ｂ）に示すように、標準モード用シアン目標データメモリ２５ｅ１には、標準モード用シアンディザマトリクスの各設定濃度に対する測定濃度の目標値が予め設定された標準モード用シアン目標データが記憶されている。
【０２４４】
図１９（ａ）に示す標準モード用シアン補間データメモリ２５ｄ１に記憶された標準モード用シアン補間データと、図１９（ｂ）に示す標準モード用シアン目標データメモリ２５ｅ１に記憶された標準モード用シアン目標データとをプロットしたグラフを図１９（ｃ）に示す。
【０２４５】
図１９（ｃ）のグラフは、横軸を設定濃度（％）、縦軸を濃度としている。よって、図１９（ａ）に示す標準モード用シアンディザマトリクスの設定濃度を補間した値および図１９（ｂ）に示す標準モード用シアンディザマトリクスの設定濃度が横軸となり、図１９（ａ）示す標準モード用シアン補間データおよび図１９（ｂ）に示す標準モード用シアン目標データが縦軸となる。
【０２４６】
図１９（ｃ）に示すように、例えば、標準モード用シアンディザマトリクスの設定濃度が２７％の場合、標準モード用シアン目標データの濃度（測定濃度の目標値）が０．２７であるのに対し、標準モード用シアン補間データの濃度は０．１５となっている。従って、標準モード用シアンディザマトリクスメモリ２４ｃ１に記憶された標準モード用シアンディザマトリクスの設定濃度を２７％として印刷用紙３にシアン色の画像を印刷しても、その印刷されたシアン色の画像の濃度測定センサ８０による測定濃度は０．１５となり、標準モード用シアン目標データの濃度である０．２７よりも濃度が低くなる。
【０２４７】
この場合には、印刷されたシアン色の画像の濃度測定センサ８０による測定濃度を標準モード用シアン目標データの濃度（測定濃度の目標値）と同じ０．２７にするために、標準モード用シアンディザマトリクスの設定濃度をいくつに設定すればよいかを、図１９（ｃ）からＣＰＵ２２が読み取る。印刷されたシアン色の画像の測定濃度を０．２７にするためには、図１９（ｃ）に示すように、標準モード用シアンディザマトリクスの設定濃度を５２％に補正すればよいことが分かる。
【０２４８】
また、例えば、標準モード用シアンディザマトリクスの設定濃度が７０％の場合、標準モード用シアン目標データの濃度（測定濃度の目標値）が０．７０であるのに対し、標準モード用シアン補間データの濃度は０．４０となっている。従って、標準モード用シアンディザマトリクスメモリ２４ｃ１に記憶された標準モード用シアンディザマトリクスの設定濃度を７０％として印刷用紙３にシアン色の画像を印刷しても、その印刷されたシアン色の画像の濃度測定センサ８０による測定濃度は０．４０となり、標準モード用シアン目標データの濃度である０．７０よりも濃度が低くなる。
【０２４９】
この場合には、印刷されたシアン色の画像の濃度測定センサ８０による測定濃度を標準モード用シアン目標データの濃度（測定濃度の目標値）と同じ０．７０にするために、設定濃度をいくつに設定すればよいかを、図１９（ｃ）からＣＰＵ２２が読み取る。印刷されたシアン色の画像の測定濃度を０．７０にするためには、図１９（ｃ）に示すように、標準モード用シアンディザマトリクスの設定濃度を９３％に補正すればよいことが分かる。
【０２５０】
このようにして、図１９（ｃ）のグラフから読み取った補正量を一覧にしたテーブルが、図１９（ｄ）に示す標準モード用シアン補正テーブルメモリ２４ｄ１に記憶された標準モード用シアン補正テーブルとなる。
【０２５１】
図９の説明に戻る。Ｓ５１の処理の終了後、標準モード用マゼンタディザマトリクスメモリ２４ｃ２に記憶された標準モード用マゼンタディザマトリクス（記録用紙３に形成される画像が標準モードであり、記録用紙３に形成される画像の色がマゼンタ色の場合に使用されるディザマトリクス）を用いて形成される画像の濃度が、標準モード用マゼンタ目標データメモリ２５ｅ２に記憶される測定濃度の目標値となるように、標準モード用マゼンタディザマトリクスの設定濃度を適切に補正するための標準モード用マゼンタ補正テーブルを作成する処理である標準モード用マゼンタ補正テーブル作成処理（Ｓ５２）が実行される。
【０２５２】
なお、この標準モード用マゼンタ補正テーブル作成処理（Ｓ５２）は、図１０に示す標準モード用シアン補正テーブル作成処理（Ｓ５１）と処理方法は同じであるので、異なる処理の内容のみを説明する。
【０２５３】
標準モード用マゼンタ補正テーブル作成処理（Ｓ５２）では、図１０に示す標準モード用シアン補正テーブル作成処理（Ｓ５１）のＳ６１の処理が、「マゼンタ測定濃度メモリ２５ｂ２からマゼンタ測定濃度を取得する」となる。
【０２５４】
また、標準モード用マゼンタ補正テーブル作成処理（Ｓ５２）では、図１０に示す標準モード用シアン補正テーブル作成処理（Ｓ５１）のＳ６２の処理が、「標準モード用対応濃度マゼンタデータメモリ２５ａ２から標準モード用対応濃度マゼンタデータを取得する」となる。
【０２５５】
また、標準モード用マゼンタ補正テーブル作成処理（Ｓ５２）では、図１０に示す標準モード用シアン補正テーブル作成処理（Ｓ５１）のＳ６３の処理が、「Ｓ６１で取得したマゼンタ測定濃度とＳ６２で取得した標準モード用対応濃度マゼンタデータとを対応付けて、標準モード用対応測定マゼンタデータメモリ２５ｃ２に記憶する」となる。
【０２５６】
また、標準モード用マゼンタ補正テーブル作成処理（Ｓ５２）では、図１０に示す標準モード用シアン補正テーブル作成処理（Ｓ５１）のＳ６４の処理が、「標準モード用対応測定マゼンタデータメモリ２５ｃ２に記憶された標準モード用対応測定マゼンタデータを直線補間方法により補間し、標準モード用マゼンタ補間データメモリ２５ｄ２に記憶する」となる。
【０２５７】
最後に、標準モード用マゼンタ補正テーブル作成処理（Ｓ５２）では、図１０に示す標準モード用シアン補正テーブル作成処理（Ｓ５１）のＳ６５の処理が、「標準モード用マゼンタ補間データメモリ２５ｄ２から標準モード用マゼンタ補間データを、標準モード用マゼンタ目標データメモリ２５ｅ２から標準モード用マゼンタ目標データをそれぞれ取得し、標準モード用マゼンタ補正テーブルを作成し、標準モード用マゼンタ補正テーブルメモリ２４ｄ２に記憶する」となる。
【０２５８】
このように、標準モード用マゼンタ補正テーブル作成処理（Ｓ５２）によって、標準モード用マゼンタディザマトリクスメモリ２４ｃ２に記憶された標準モード用マゼンタディザマトリクス（記録用紙３に形成される画像が標準モードであり、記録用紙３に形成される画像の色がマゼンタ色の場合に使用されるディザマトリクス）を用いて形成される画像の濃度が、標準モード用マゼンタ目標データメモリ２５ｅ２に記憶される測定濃度の目標値となるように、標準モード用マゼンタディザマトリクスの設定濃度を適切に補正するための標準モード用マゼンタ補正テーブルを作成することができる。
【０２５９】
Ｓ５２の処理の終了後、標準モード用イエローディザマトリクスメモリ２４ｃ３に記憶された標準モード用イエローディザマトリクス（記録用紙３に形成される画像が標準モードであり、記録用紙３に形成される画像の色がイエロー色の場合に使用されるディザマトリクス）を用いて形成される画像の濃度が、標準モード用イエロー目標データメモリ２５ｅ３に記憶される測定濃度の目標値となるように、標準モード用イエローディザマトリクスの設定濃度を適切に補正するための標準モード用イエロー補正テーブルを作成する処理である標準モード用イエロー補正テーブル作成処理（Ｓ５３）が実行される。
【０２６０】
なお、この標準モード用イエロー補正テーブル作成処理（Ｓ５３）は、図１０に示す標準モード用シアン補正テーブル作成処理（Ｓ５１）と処理方法は同じであるので、異なる処理の内容のみを説明する。
【０２６１】
標準モード用イエロー補正テーブル作成処理（Ｓ５３）では、図１０に示す標準モード用シアン補正テーブル作成処理（Ｓ５１）のＳ６１の処理が、「イエロー測定濃度メモリ２５ｂ３からイエロー測定濃度を取得する」となる。
【０２６２】
また、標準モード用イエロー補正テーブル作成処理（Ｓ５３）では、図１０に示す標準モード用シアン補正テーブル作成処理（Ｓ５１）のＳ６２の処理が、「標準モード用対応濃度イエローデータメモリ２５ａ３から標準モード用対応濃度イエローデータを取得する」となる。
【０２６３】
また、標準モード用イエロー補正テーブル作成処理（Ｓ５３）では、図１０に示す標準モード用シアン補正テーブル作成処理（Ｓ５１）のＳ６３の処理が、「Ｓ６１で取得したイエロー測定濃度とＳ６２で取得した標準モード用対応濃度イエローデータとを対応付けて、標準モード用対応測定イエローデータメモリ２５ｃ３に記憶する」となる。
【０２６４】
また、標準モード用イエロー補正テーブル作成処理（Ｓ５３）では、図１０に示す標準モード用シアン補正テーブル作成処理（Ｓ５１）のＳ６４の処理が、「標準モード用対応測定イエローデータメモリ２５ｃ３に記憶された標準モード用対応測定イエローデータを直線補間方法により補間し、標準モード用イエロー補間データメモリ２５ｄ３に記憶する」となる。
【０２６５】
最後に、標準モード用イエロー補正テーブル作成処理（Ｓ５３）では、図１０に示す標準モード用シアン補正テーブル作成処理（Ｓ５１）のＳ６５の処理が、「標準モード用イエロー補間データメモリ２５ｄ３から標準モード用イエロー補間データを、標準モード用イエロー目標データメモリ２５ｅ３から標準モード用イエロー目標データをそれぞれ取得し、標準モード用イエロー補正テーブルを作成し、標準モード用イエロー補正テーブルメモリ２４ｄ３に記憶する」となる。
【０２６６】
このように、標準モード用イエロー補正テーブル作成処理（Ｓ５３）によって、標準モード用イエローディザマトリクスメモリ２４ｃ３に記憶された標準モード用イエローディザマトリクス（記録用紙３に形成される画像が標準モードであり、記録用紙３に形成される画像の色がイエロー色の場合に使用されるディザマトリクス）を用いて形成される画像の濃度が、標準モード用イエロー目標データメモリ２５ｅ３に記憶される測定濃度の目標値となるように、標準モード用イエローディザマトリクスの設定濃度を適切に補正するための標準モード用イエロー補正テーブルを作成することができる。
【０２６７】
Ｓ５３の処理の終了後、標準モード用ブラックディザマトリクスメモリ２４ｃ４に記憶された標準モード用ブラックディザマトリクス（記録用紙３に形成される画像が標準モードであり、記録用紙３に形成される画像の色がブラック色の場合に使用されるディザマトリクス）を用いて形成される画像の濃度が、標準モード用ブラック目標データメモリ２５ｅ４に記憶される測定濃度の目標値となるように、標準モード用ブラックディザマトリクスの設定濃度を適切に補正するための標準モード用ブラック補正テーブルを作成する処理である標準モード用ブラック補正テーブル作成処理（Ｓ５４）が実行される。
【０２６８】
なお、この標準モード用ブラック補正テーブル作成処理（Ｓ５４）は、図１０に示す標準モード用シアン補正テーブル作成処理（Ｓ５１）と処理方法は同じであるので、異なる処理の内容のみを説明する。
【０２６９】
標準モード用ブラック補正テーブル作成処理（Ｓ５４）では、図１０に示す標準モード用シアン補正テーブル作成処理（Ｓ５１）のＳ６１の処理が、「ブラック測定濃度メモリ２５ｂ４からブラック測定濃度を取得する」となる。
【０２７０】
また、標準モード用ブラック補正テーブル作成処理（Ｓ５４）では、図１０に示す標準モード用シアン補正テーブル作成処理（Ｓ５１）のＳ６２の処理が、「標準モード用対応濃度ブラックデータメモリ２５ａ４から標準モード用対応濃度ブラックデータを取得する」となる。
【０２７１】
また、標準モード用ブラック補正テーブル作成処理（Ｓ５４）では、図１０に示す標準モード用シアン補正テーブル作成処理（Ｓ５１）のＳ６３の処理が、「Ｓ６１で取得したブラック測定濃度とＳ６２で取得した標準モード用対応濃度ブラックデータとを対応付けて、標準モード用対応測定ブラックデータメモリ２５ｃ４に記憶する」となる。
【０２７２】
また、標準モード用ブラック補正テーブル作成処理（Ｓ５４）では、図１０に示す標準モード用シアン補正テーブル作成処理（Ｓ５１）のＳ６４の処理が、「標準モード用対応測定ブラックデータメモリ２５ｃ４に記憶された標準モード用対応測定ブラックデータを直線補間方法により補間し、標準モード用ブラック補間データメモリ２５ｄ４に記憶する」となる。
【０２７３】
最後に、標準モード用ブラック補正テーブル作成処理（Ｓ５４）では、図１０に示す標準モード用シアン補正テーブル作成処理（Ｓ５１）のＳ６５の処理が、「標準モード用ブラック補間データメモリ２５ｄ４から標準モード用ブラック補間データを、標準モード用ブラック目標データメモリ２５ｅ４から標準モード用ブラック目標データをそれぞれ取得し、標準モード用ブラック補正テーブルを作成し、標準モード用ブラック補正テーブルメモリ２４ｄ４に記憶する」となる。
【０２７４】
このように、標準モード用ブラック補正テーブル作成処理（Ｓ５４）によって、標準モード用ブラックディザマトリクスメモリ２４ｃ４に記憶された標準モード用ブラックディザマトリクス（記録用紙３に形成される画像が標準モードであり、記録用紙３に形成される画像の色がブラック色の場合に使用されるディザマトリクス）を用いて形成される画像の濃度が、標準モード用ブラック目標データメモリ２５ｅ４に記憶される測定濃度の目標値となるように、標準モード用ブラックディザマトリクスの設定濃度を適切に補正するための標準モード用ブラック補正テーブルを作成することができる。
【０２７５】
Ｓ５４の処理の終了後、高品質モード用シアンディザマトリクスメモリ２４ｃ５に記憶された高品質モード用シアンディザマトリクス（記録用紙３に形成される画像が高品質モードであり、記録用紙３に形成される画像の色がシアン色の場合に使用されるディザマトリクス）を用いて形成される画像の濃度が、高品質モード用シアン目標データメモリ２５ｅ５に記憶される測定濃度の目標値となるように、高品質モード用シアンディザマトリクスの設定濃度を適切に補正するための高品質モード用シアン補正テーブルを作成する処理である高品質モード用シアン補正テーブル作成処理（Ｓ５５）が実行される。
【０２７６】
なお、この高品質モード用シアン補正テーブル作成処理（Ｓ５５）は、図１０に示す標準モード用シアン補正テーブル作成処理（Ｓ５１）と処理方法は同じであるので、異なる処理の内容のみを説明する。
【０２７７】
高品質モード用シアン補正テーブル作成処理（Ｓ５５）では、図１０に示す標準モード用シアン補正テーブル作成処理（Ｓ５１）のＳ６１の処理が、「シアン測定濃度メモリ２５ｂ１からシアン測定濃度を取得する」となる。
【０２７８】
また、高品質モード用シアン補正テーブル作成処理（Ｓ５５）では、図１０に示す標準モード用シアン補正テーブル作成処理（Ｓ５１）のＳ６２の処理が、「高品質モード用対応濃度シアンデータメモリ２５ａ５から高品質モード用対応濃度シアンデータを取得する」となる。
【０２７９】
また、高品質モード用シアン補正テーブル作成処理（Ｓ５５）では、図１０に示す標準モード用シアン補正テーブル作成処理（Ｓ５１）のＳ６３の処理が、「Ｓ６１で取得したシアン測定濃度とＳ６２で取得した高品質モード用対応濃度シアンデータとを対応付けて、高品質モード用対応測定シアンデータメモリ２５ｃ５に記憶する」となる。
【０２８０】
また、高品質モード用シアン補正テーブル作成処理（Ｓ５５）では、図１０に示す標準モード用シアン補正テーブル作成処理（Ｓ５１）のＳ６４の処理が、「高品質モード用対応測定シアンデータメモリ２５ｃ５に記憶された高品質モード用対応測定シアンデータを直線補間方法により補間し、高品質モード用シアン補間データメモリ２５ｄ５に記憶する」となる。
【０２８１】
最後に、高品質モード用シアン補正テーブル作成処理（Ｓ５５）では、図１０に示す標準モード用シアン補正テーブル作成処理（Ｓ５１）のＳ６５の処理が、「高品質モード用シアン補間データメモリ２５ｄ５から高品質モード用シアン補間データを、高品質モード用シアン目標データメモリ２５ｅ５から高品質モード用シアン目標データをそれぞれ取得し、高品質モード用シアン補正テーブルを作成し、高品質モード用シアン補正テーブルメモリ２４ｄ５に記憶する」となる。
【０２８２】
このように、高品質モード用シアン補正テーブル作成処理（Ｓ５５）によって、高品質モード用シアンディザマトリクスメモリ２４ｃ５に記憶された高品質モード用シアンディザマトリクス（記録用紙３に形成される画像が高品質モードであり、記録用紙３に形成される画像の色がシアン色の場合に使用されるディザマトリクス）を用いて形成される画像の濃度が、高品質モード用シアン目標データメモリ２５ｅ５に記憶される測定濃度の目標値となるように、高品質モード用シアンディザマトリクスの設定濃度を適切に補正するための高品質モード用シアン補正テーブルを作成することができる。
【０２８３】
Ｓ５５の処理の終了後、高品質モード用マゼンタディザマトリクスメモリ２４ｃ６に記憶された高品質モード用マゼンタディザマトリクス（記録用紙３に形成される画像が高品質モードであり、記録用紙３に形成される画像の色がマゼンタ色の場合に使用されるディザマトリクス）を用いて形成される画像の濃度が、高品質モード用マゼンタ目標データメモリ２５ｅ６に記憶される測定濃度の目標値となるように、高品質モード用マゼンタディザマトリクスの設定濃度を適切に補正するための高品質モード用マゼンタ補正テーブルを作成する処理である高品質モード用マゼンタ補正テーブル作成処理（Ｓ５６）が実行される。
【０２８４】
なお、この高品質モード用マゼンタ補正テーブル作成処理（Ｓ５６）は、図１０に示す標準モード用シアン補正テーブル作成処理（Ｓ５１）と処理方法は同じであるので、異なる処理の内容のみを説明する。
【０２８５】
高品質モード用マゼンタ補正テーブル作成処理（Ｓ５６）では、図１０に示す標準モード用シアン補正テーブル作成処理（Ｓ５１）のＳ６１の処理が、「マゼンタ測定濃度メモリ２５ｂ２からマゼンタ測定濃度を取得する」となる。
【０２８６】
また、高品質モード用マゼンタ補正テーブル作成処理（Ｓ５６）では、図１０に示す標準モード用シアン補正テーブル作成処理（Ｓ５１）のＳ６２の処理が、「高品質モード用対応濃度マゼンタデータメモリ２５ａ６から高品質モード用対応濃度マゼンタデータを取得する」となる。
【０２８７】
また、高品質モード用マゼンタ補正テーブル作成処理（Ｓ５６）では、図１０に示す標準モード用シアン補正テーブル作成処理（Ｓ５１）のＳ６３の処理が、「Ｓ６１で取得したマゼンタ測定濃度とＳ６２で取得した高品質モード用対応濃度マゼンタデータとを対応付けて、高品質モード用対応測定マゼンタデータメモリ２５ｃ６に記憶する」となる。
【０２８８】
また、高品質モード用マゼンタ補正テーブル作成処理（Ｓ５６）では、図１０に示す標準モード用シアン補正テーブル作成処理（Ｓ５１）のＳ６４の処理が、「高品質モード用対応測定マゼンタデータメモリ２５ｃ６に記憶された高品質モード用対応測定マゼンタデータを直線補間方法により補間し、高品質モード用マゼンタ補間データメモリ２５ｄ６に記憶する」となる。
【０２８９】
最後に、高品質モード用マゼンタ補正テーブル作成処理（Ｓ５６）では、図１０に示す標準モード用シアン補正テーブル作成処理（Ｓ５１）のＳ６５の処理が、「高品質モード用マゼンタ補間データメモリ２５ｄ６から高品質モード用マゼンタ補間データを、高品質モード用マゼンタ目標データメモリ２５ｅ６から高品質モード用マゼンタ目標データをそれぞれ取得し、高品質モード用マゼンタ補正テーブルを作成し、高品質モード用マゼンタ補正テーブルメモリ２４ｄ６に記憶する」となる。
【０２９０】
このように、高品質モード用マゼンタ補正テーブル作成処理（Ｓ５６）によって、高品質モード用マゼンタディザマトリクスメモリ２４ｃ６に記憶された高品質モード用マゼンタディザマトリクス（記録用紙３に形成される画像が高品質モードであり、記録用紙３に形成される画像の色がマゼンタ色の場合に使用されるディザマトリクス）を用いて形成される画像の濃度が、高品質モード用マゼンタ目標データメモリ２５ｅ６に記憶される測定濃度の目標値となるように、高品質モード用マゼンタディザマトリクスの設定濃度を適切に補正するための高品質モード用マゼンタ補正テーブルを作成することができる。
【０２９１】
Ｓ５６の処理の終了後、高品質モード用イエローディザマトリクスメモリ２４ｃ７に記憶された高品質モード用イエローディザマトリクス（記録用紙３に形成される画像が高品質モードであり、記録用紙３に形成される画像の色がイエロー色の場合に使用されるディザマトリクス）を用いて形成される画像の濃度が、高品質モード用イエロー目標データメモリ２５ｅ７に記憶される測定濃度の目標値となるように、高品質モード用イエローディザマトリクスの設定濃度を適切に補正するための高品質モード用イエロー補正テーブルを作成する処理である高品質モード用イエロー補正テーブル作成処理（Ｓ５７）が実行される。
【０２９２】
なお、この高品質モード用イエロー補正テーブル作成処理（Ｓ５７）は、図１０に示す標準モード用シアン補正テーブル作成処理（Ｓ５１）と処理方法は同じであるので、異なる処理のみを説明する。
【０２９３】
高品質モード用イエロー補正テーブル作成処理（Ｓ５７）では、図１０に示す標準モード用シアン補正テーブル作成処理（Ｓ５１）のＳ６１の処理が、「イエロー測定濃度メモリ２５ｂ３からイエロー測定濃度を取得する」となる。
【０２９４】
また、高品質モード用イエロー補正テーブル作成処理（Ｓ５７）では、図１０に示す標準モード用シアン補正テーブル作成処理（Ｓ５１）のＳ６２の処理が、「高品質モード用対応濃度イエローデータメモリ２５ａ７から高品質モード用対応濃度イエローデータを取得する」となる。
【０２９５】
また、高品質モード用イエロー補正テーブル作成処理（Ｓ５７）では、図１０に示す標準モード用シアン補正テーブル作成処理（Ｓ５１）のＳ６３の処理が、「Ｓ６１で取得したイエロー測定濃度とＳ６２で取得した高品質モード用対応濃度イエローデータとを対応付けて、高品質モード用対応測定イエローデータメモリ２５ｃ７に記憶する」となる。
【０２９６】
また、高品質モード用イエロー補正テーブル作成処理（Ｓ５７）では、図１０に示す標準モード用シアン補正テーブル作成処理（Ｓ５１）のＳ６４の処理が、「高品質モード用対応測定イエローデータメモリ２５ｃ７に記憶された高品質モード用対応測定イエローデータを直線補間方法により補間し、高品質モード用イエロー補間データメモリ２５ｄ７に記憶する」となる。
【０２９７】
最後に、高品質モード用イエロー補正テーブル作成処理（Ｓ５７）では、図１０に示す標準モード用シアン補正テーブル作成処理（Ｓ５１）のＳ６５の処理が、「高品質モード用イエロー補間データメモリ２５ｄ７から高品質モード用イエロー補間データを、高品質モード用イエロー目標データメモリ２５ｅ７から高品質モード用イエロー目標データをそれぞれ取得し、高品質モード用イエロー補正テーブルを作成し、高品質モード用イエロー補正テーブルメモリ２４ｄ７に記憶する」となる。
【０２９８】
このように、高品質モード用イエロー補正テーブル作成処理（Ｓ５７）によって、高品質モード用イエローディザマトリクスメモリ２４ｃ７に記憶された高品質モード用イエローディザマトリクス（記録用紙３に形成される画像が高品質モードであり、記録用紙３に形成される画像の色がイエロー色の場合に使用されるディザマトリクス）を用いて形成される画像の濃度が、高品質モード用イエロー目標データメモリ２５ｅ７に記憶される測定濃度の目標値となるように、高品質モード用イエローディザマトリクスの設定濃度を適切に補正するための高品質モード用イエロー補正テーブルを作成することができる。
【０２９９】
Ｓ５７の処理の終了後、高品質モード用ブラックディザマトリクスメモリ２４ｃ８に記憶された高品質モード用ブラックディザマトリクス（記録用紙３に形成される画像が高品質モードであり、記録用紙３に形成される画像の色がブラック色の場合に使用されるディザマトリクス）を用いて形成される画像の濃度が、高品質モード用ブラック目標データメモリ２５ｅ８に記憶される測定濃度の目標値となるように、高品質モード用ブラックディザマトリクスの設定濃度を適切に補正するための高品質モード用ブラック補正テーブルを作成する処理である高品質モード用ブラック補正テーブル作成処理（Ｓ５８）が実行される。
【０３００】
なお、この高品質モード用ブラック補正テーブル作成処理（Ｓ５８）は、図１０に示す標準モード用シアン補正テーブル作成処理（Ｓ５１）と処理方法は同じであるので、異なる処理の内容のみを説明する。
【０３０１】
高品質モード用ブラック補正テーブル作成処理（Ｓ５８）では、図１０に示す標準モード用シアン補正テーブル作成処理（Ｓ５１）のＳ６１の処理が、「ブラック測定濃度メモリ２５ｂ４からブラック測定濃度を取得する」となる。
【０３０２】
また、高品質モード用ブラック補正テーブル作成処理（Ｓ５８）では、図１０に示す標準モード用シアン補正テーブル作成処理（Ｓ５１）のＳ６２の処理が、「高品質モード用対応濃度ブラックデータメモリ２５ａ８から高品質モード用対応濃度ブラックデータを取得する」となる。
【０３０３】
また、高品質モード用ブラック補正テーブル作成処理（Ｓ５８）では、図１０に示す標準モード用シアン補正テーブル作成処理（Ｓ５１）のＳ６３の処理が、「Ｓ６１で取得したブラック測定濃度とＳ６２で取得した高品質モード用対応濃度ブラックデータとを対応付けて、高品質モード用対応測定ブラックデータメモリ２５ｃ８に記憶する」となる。
【０３０４】
また、高品質モード用ブラック補正テーブル作成処理（Ｓ５８）では、図１０に示す標準モード用シアン補正テーブル作成処理（Ｓ５１）のＳ６４の処理が、「高品質モード用対応測定ブラックデータメモリ２５ｃ８に記憶された高品質モード用対応測定ブラックデータを直線補間方法により補間し、高品質モード用ブラック補間データメモリ２５ｄ８に記憶する」となる。
【０３０５】
最後に、高品質モード用ブラック補正テーブル作成処理（Ｓ５８）では、図１０に示す標準モード用シアン補正テーブル作成処理（Ｓ５１）のＳ６５の処理が、「高品質モード用ブラック補間データメモリ２５ｄ８から高品質モード用ブラック補間データを、高品質モード用ブラック目標データメモリ２５ｅ８から高品質モード用ブラック目標データをそれぞれ取得し、高品質モード用ブラック補正テーブルを作成し、高品質モード用ブラック補正テーブルメモリ２４ｄ８に記憶する」となる。
【０３０６】
このように、高品質モード用ブラック補正テーブル作成処理（Ｓ５８）によって、高品質モード用ブラックディザマトリクスメモリ２４ｃ８に記憶された高品質モード用ブラックディザマトリクス（記録用紙３に形成される画像が高品質モードであり、記録用紙３に形成される画像の色がブラック色の場合に使用されるディザマトリクス）を用いて形成される画像の濃度が、高品質モード用ブラック目標データメモリ２５ｅ８に記憶される測定濃度の目標値となるように、高品質モード用ブラックディザマトリクスの設定濃度を適切に補正するための高品質モード用ブラック補正テーブルを作成することができる。
【０３０７】
このＳ５８の処理の終了後、補正テーブル作成処理（Ｓ４）を終了する。この補正テーブル作成処理（Ｓ４）によって、記録用紙３に形成される画像の濃度が、目標データメモリ２５ｅのそれぞれに記憶される各測定濃度の目標値となるように各ディザマトリクスの各設定濃度を適切に補正するための各補正テーブル（標準モード用シアン補正テーブル、標準モード用マゼンタ補正テーブル、標準モード用イエロー補正テーブル、標準モード用ブラック補正テーブル、高品質モード用シアン補正テーブル、高品質モード用マゼンタ補正テーブル、高品質モード用イエロー補正テーブル、高品質モード用ブラック補正テーブル）を作成することができる。
【０３０８】
次に、図２０を参照して、補正処理について説明する。図２０は、補正処理を示したフローチャートである。補正処理は、ＰＣ１２５から入力された各ディザマトリクスの各設定濃度を補正する処理であり、カラーレーザープリンタ１の印刷処理が実行される度に、制御装置９０のＣＰＵ２２により実行される処理である。
【０３０９】
補正処理では、まずＰＣ１２５から各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、高品質モード用ブラックディザマトリクス）の設定濃度が入力されたか否かが判定される（Ｓ７１）。各ディザマトリクスの設定濃度が入力されていないと判定されると（Ｓ７１：Ｎｏ）、この補正処理を終了する。
【０３１０】
一方、各ディザマトリクスの設定濃度が入力されたと判定されると（Ｓ７１：Ｙｅｓ）、入力された各ディザマトリクスの設定濃度に対応する補正テーブルを補正テーブルメモリ２４ｄから取得する（Ｓ７２）。
【０３１１】
このＳ７２の処理では、標準モード用シアンディザマトリクスの設定濃度が入力された場合は、標準モード用シアン補正テーブルメモリ２４ｄ１から標準モード用シアン補正テーブルを取得する。また、標準モード用マゼンタディザマトリクスの設定濃度が入力された場合は、標準モード用マゼンタ補正テーブルメモリ２４ｄ２から標準モード用マゼンタ補正テーブルを取得する。また、標準モード用イエローディザマトリクスの設定濃度が入力された場合は、標準モード用イエロー補正テーブルメモリ２４ｄ３から標準モード用イエロー補正テーブルを取得する。また、標準モード用ブラックディザマトリクスの設定濃度が入力された場合は、標準モード用ブラック補正テーブルメモリ２４ｄ４から標準モード用シアン補正テーブルを取得する。
【０３１２】
また、Ｓ７２の処理では、高品質モード用シアンディザマトリクスの設定濃度が入力された場合は、高品質モード用シアン補正テーブルメモリ２４ｄ５から高品質モード用シアン補正テーブルを取得する。また、高品質モード用マゼンタディザマトリクスの設定濃度が入力された場合は、高品質モード用マゼンタ補正テーブルメモリ２４ｄ６から高品質モード用マゼンタ補正テーブルを取得する。また、高品質モード用イエローディザマトリクスの設定濃度が入力された場合は、高品質モード用イエロー補正テーブルメモリ２４ｄ７から高品質モード用イエロー補正テーブルを取得する。また、高品質モード用ブラックディザマトリクスの設定濃度が入力された場合は、高品質モード用ブラック補正テーブルメモリ２４ｄ８から高品質モード用ブラック補正テーブルを取得する。
【０３１３】
Ｓ７２の処理が終了すると、取得した補正テーブルに基づいて、入力された各ディザマトリクスの設定濃度を補正し、補正した各ディザマトリクスの設定濃度を各画像形成ユニット２０（画像形成ユニット２０Ｃ，２０Ｍ，２０Ｙ，２０Ｋ）へ出力し（Ｓ７３）、この補正処理を終了する。
【０３１４】
Ｓ７３の処理では、標準モード用シアンディザマトリクスの設定濃度が入力された場合は、Ｓ７２で取得した標準モード用シアン補正テーブルに基づいて、標準モード用シアンディザマトリクスの設定濃度を補正し、補正した標準モード用シアンディザマトリクスの設定濃度を画像形成ユニット２０Ｃへ出力する。また、標準モード用マゼンタディザマトリクスの設定濃度が入力された場合は、Ｓ７２で取得した標準モード用マゼンタ補正テーブルに基づいて、標準モード用マゼンタディザマトリクスの設定濃度を補正し、補正した標準モード用マゼンタディザマトリクスの設定濃度を画像形成ユニット２０Ｍへ出力する。また、標準モード用イエローディザマトリクスの設定濃度が入力された場合は、Ｓ７２で取得した標準モード用イエロー補正テーブルに基づいて、標準モード用イエローディザマトリクスの設定濃度を補正し、補正した標準モード用イエローディザマトリクスの設定濃度を画像形成ユニット２０Ｙへ出力する。また、標準モード用ブラックディザマトリクスの設定濃度が入力された場合は、Ｓ７２で取得した標準モード用ブラック補正テーブルに基づいて、標準モード用ブラックディザマトリクスの設定濃度を補正し、補正した標準モード用ブラックディザマトリクスの設定濃度を画像形成ユニット２０Ｂへ出力する。
【０３１５】
また、Ｓ７３の処理では、高品質モード用シアンディザマトリクスの設定濃度が入力された場合は、Ｓ７２で取得した高品質モード用シアン補正テーブルに基づいて、高品質モード用シアンディザマトリクスの設定濃度を補正し、補正した高品質モード用シアンディザマトリクスの設定濃度を画像形成ユニット２０Ｃへ出力する。また、高品質モード用マゼンタディザマトリクスの設定濃度が入力された場合は、Ｓ７２で取得した高品質モード用マゼンタ補正テーブルに基づいて、高品質モード用マゼンタディザマトリクスの設定濃度を補正し、補正した高品質モード用マゼンタディザマトリクスの設定濃度を画像形成ユニット２０Ｍへ出力する。また、高品質モード用イエローディザマトリクスの設定濃度が入力された場合は、Ｓ７２で取得した高品質モード用イエロー補正テーブルに基づいて、高品質モード用イエローディザマトリクスの設定濃度を補正し、補正した高品質モード用イエローディザマトリクスの設定濃度を画像形成ユニット２０Ｙへ出力する。また、高品質モード用ブラックディザマトリクスの設定濃度が入力された場合は、Ｓ７２で取得した高品質モード用ブラック補正テーブルに基づいて、高品質モード用ブラックディザマトリクスの設定濃度を補正し、補正した高品質モード用ブラックディザマトリクスの設定濃度を画像形成ユニット２０Ｂへ出力する。
【０３１６】
ここで、Ｓ７３の処理について、図１９（ｄ）を参照して詳しく説明する。記録用紙３に画像を形成する場合（カラーレーザープリンタ１で記録用紙３に画像を形成する場合）に、例えば、標準モード用シアンディザマトリクスの設定濃度が４８％とＰＣ１２５から入力されると、ＣＰＵ２２は、標準モード用シアン補正テーブルメモリ２４ｄ１に記憶された標準モード用シアン補正テーブルを使用して、標準モード用シアンディザマトリクスの設定濃度を７８％に補正して、画像形成ユニット２０Ｃへ出力する。
【０３１７】
また、例えば、標準モード用シアンディザマトリクスの設定濃度が９１％とＰＣ１２５から入力されると、ＣＰＵ２２は、標準モード用シアン補正テーブルメモリ２４ｄ１に記憶された標準モード用シアン補正テーブルを使用して、標準モード用シアンディザマトリクスの設定濃度を９８％に補正して、画像形成ユニット２０Ｃへ出力する。
【０３１８】
このように、標準モード用シアンディザマトリクスメモリ２４ｃ１に記憶された標準モード用シアンディザマトリクスを使用してシアン色の標準モード画像を記録用紙３に印刷するときに、ＰＣ１２５から入力される標準モード用シアンディザマトリクスの設定濃度が低い場合、あるいは、ＰＣ１２５から入力される標準モード用シアンディザマトリクスの設定濃度が高い場合でも、ＣＰＵ２２が標準モード用シアン補正テーブルメモリ２４ｄ１に記憶された標準モード用シアン補正テーブルを使用して、標準モード用シアンディザマトリクスの設定濃度を補正することによって、標準モード用シアンディザマトリクスを使用して印刷されるシアン色の画像の測定濃度を標準モード用シアン目標データの濃度（測定濃度の目標値）とすることができる。
【０３１９】
図２０に示す補正処理によれば、ＣＰＵ２２は、ＰＣ１２５から入力される各ディザマトリクスの各設定濃度を各補正テーブルを用いて補正し、記録用紙３に形成される画像の各濃度を目標データメモリ２５ｅのそれぞれに記憶される各測定濃度の目標値とすることができる。
【０３２０】
上述した通り、本実施形態によれば、カラーレーザープリンタ１のキャリブレーションを行う際には、ＣＰＵ２２は基準濃度パッチデータメモリ２４ａに記憶された基準濃度パッチデータに基づき、基準濃度パッチＣ１からＫ５を搬送ベルト６８に形成し、その形成した基準濃度パッチＣ１からＫ５を濃度測定センサ８０にそれぞれ測定させる。基準濃度パッチＣ１からＫ５の各測定濃度は、基準濃度パッチＣ１からＫ５毎に測定濃度メモリ２５ｂに記憶される。また、ＣＰＵ２２は、各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、高品質モード用ブラックディザマトリクス）の各設定濃度を変化させて、即ち、各ディザマトリクスの各面積率を変化させて、その各ディザマトリクスの各面積率が、基準濃度パッチ面積率メモリ２４ｂに記憶された各基準濃度パッチ面積率の所定の範囲内となったときの各ディザマトリクスの各設定濃度を対応濃度データメモリ２５ａにそれぞれ記憶させる。
【０３２１】
そして、ＣＰＵ２２は、測定濃度メモリ２５ｂに記憶された基準濃度パッチＣ１からＫ５の濃度測定センサ８０による実際の各測定濃度を、対応濃度データメモリ２５ａに記憶された各設定濃度のときの各ディザマトリクス（各基準濃度パッチ面積率の所定の範囲内となったときの各設定濃度の各ディザマトリクス）の各測定濃度として設定し、対応測定データメモリ２５ｃにそれぞれ記憶させる。これにより、対応濃度データメモリ２５ａに記憶された各設定濃度のときの各ディザマトリクス（各基準濃度パッチ面積率の所定の範囲内となったときの各設定濃度の各ディザマトリクス）を濃度測定センサ８０により測定することなしに、対応濃度データメモリ２５ａに記憶された各設定濃度のときの各ディザマトリクスの各測定濃度を設定することができる。
【０３２２】
このようにして、ＣＰＵ２２により設定した各ディザマトリクスの各設定濃度に対応する各測定濃度と、目標データメモリ２５ｅに記憶された各設定濃度に対応する各測定濃度の目標値との関係に基づいて、各補正テーブル（標準モード用シアン補正テーブル、標準モード用マゼンタ補正テーブル、標準モード用イエロー補正テーブル、標準モード用ブラック補正テーブル、高品質モード用シアン補正テーブル、高品質モード用マゼンタ補正テーブル、高品質モード用イエロー補正テーブル、高品質モード用ブラック補正テーブル）を作成し、この各補正テーブルを用いて、ＣＰＵ２２は、各画像形成ユニット２０（画像形成ユニット２０Ｃ，２０Ｍ，２０Ｙ，２０Ｋ）により形成される画像の濃度を補正する。
【０３２３】
このように、基準濃度パッチＣ１からＫ５を搬送ベルト６８に形成し、その形成した基準濃度パッチＣ１からＫ５を濃度測定センサ８０で測定することによって、従来のように各ディザマトリクス（標準モード用シアンディザマトリクス、標準モード用マゼンタディザマトリクス、標準モード用イエローディザマトリクス、標準モード用ブラックディザマトリクス、高品質モード用シアンディザマトリクス、高品質モード用マゼンタディザマトリクス、高品質モード用イエローディザマトリクス、高品質モード用ブラックディザマトリクス）に対応して作成される濃度パッチを搬送ベルト６８に形成し、その形成した濃度パッチを濃度測定センサ８０で測定することなく、画像の濃度補正を行うことができる。よって、従来、画像の濃度補正に必要であった各ディザマトリクスに対応して作成されていた濃度パッチを不要とすることができる。従って、各ディザマトリクスに対応して作成されていた濃度パッチを記憶する記憶装置の容量が不要となり、記憶装置の容量を低減させることができる。
【０３２４】
また、本実施形態によれば、ディザマトリクスメモリ２４ｃに記憶されたディザマトリクスは複数の解像度毎（標準モード用および高品質モード用）に設けられているのに対し、基準濃度パッチデータメモリ２４ａに記憶された基準濃度パッチデータは１種類の基準ディザマトリクスから作成されている。よって、ディザマトリクスが、形成する画像の解像度毎に複数設けられていても、１種類の基準ディザマトリクスから作成された基準濃度パッチＣ１からＫ５のみを使用して、画像の濃度補正を実行することができる。これにより、従来、複数の解像度毎のディザマトリクスに対応して作成されていた濃度パッチを不要とすることができる。従って、複数の解像度毎のディザマトリクスに対応して作成されていた濃度パッチを記憶する記憶装置の容量が不要となり、記憶装置の容量を低減させることができる。また、画像の濃度補正の際には、１種類の基準ディザマトリクスから作成された基準濃度パッチＣ１からＫ５を搬送ベルト６８に形成し、その形成した基準濃度パッチＣ１からＫ５を濃度測定センサ８０により測定すれば良いので、従来のように複数の解像度毎（標準モード用および高品質モード用）のディザマトリクスに対応して作成されていた濃度パッチを搬送ベルト６８に形成し、その形成した複数の解像度毎の濃度パッチを濃度測定センサ８０により測定する必要がないので、画像の濃度補正に費やす時間を短縮することができる。
【０３２５】
また、本実施形態によれば、ディザマトリクスメモリ２４ｃに記憶されたディザマトリクスは色毎（シアン色、マゼンタ色、イエロー色、ブラック色）に設けられているのに対し、基準濃度パッチデータメモリ２４ａに記憶された基準濃度パッチデータは１種類の基準ディザマトリクスから作成されている。よって、ディザマトリクスが、形成する画像の色毎に設けられていたとしても、１種類の基準ディザマトリクスから作成された基準濃度パッチＣ１からＫ５のみを使用して、画像の濃度補正を実行することができる。これにより、従来、色毎のディザマトリクスに対応して作成されていた濃度パッチを不要とすることができる。従って、色毎のディザデータに対応して作成されていた濃度パッチを記憶する記憶装置の容量が不要となり、記憶装置の容量を低減させることができる。また、画像の濃度補正の際には、画像の濃度補正の際には、１種類の基準ディザマトリクスから作成された基準濃度パッチＣ１からＫ５を搬送ベルト６８に形成し、その形成した基準濃度パッチＣ１からＫ５を濃度測定センサ８０により測定すれば良いので、従来のように色毎（シアン色、マゼンタ色、イエロー色、ブラック色）のディザデータに対応して作成されていた濃度パッチを搬送ベルト６８に形成し、その形成した色毎の濃度パッチを濃度測定センサ８０により測定する必要がないので、画像の濃度補正に費やす時間を短縮することができる。
【０３２６】
以上、各実施の形態に基づき本発明を説明したが、本発明は上記実施形態に何ら限定されるものではなく、本発明の趣旨を逸脱しない範囲内で種々の変形改良が可能であることは容易に推察できるものである。
【０３２７】
本実施形態では、タンデム方式のカラーレーザープリンタ１に本発明を適用したが、これに限らず、転写ドラム方式のカラーレーザープリンタや転写ベルト方式のカラーレーザープリンタ、あるいは直接転写方式のカラーレーザープリンタに本発明を適用しても良い。
【０３２８】
また、本実施形態では、濃度パッチＣ１からＫ５を搬送ベルト６８に形成して、その形成した基準濃度パッチＣ１からＫ５を濃度測定センサ８０で測定したが、これに限らず、基準濃度パッチＣ１からＫ５を記録用紙３に形成し、その記録用紙３に形成した基準濃度パッチＣ１からＫ５をカラーレーザープリンタ１に設けられた画像読取装置であるスキャナで読み込み、基準濃度パッチＣ１からＫ５の濃度をそれぞれ測定してキャリブレーションを実行しても良い。この場合には、スキャナを、基準濃度パッチＣ１からＫ５の濃度を測定する濃度測定センサ８０として用いることができるので、濃度測定センサ８０を不要とすることができる。
【図面の簡単な説明】
【０３２９】
【図１】カラーレーザープリンタの縦断面を示した縦断面図である。
【図２】カラーレーザープリンタの電気的構成を示すブロック図である。
【図３】フラッシュメモリの内容を示した図である。
【図４】ＲＡＭの内容を示した図である。
【図５】制御装置のＣＰＵで実行される濃度補正処理を示したフローチャートである。
【図６】基準濃度パッチ測定処理を示したフローチャートである。
【図７】ディザ面積率検索処理を示したフローチャートである。
【図８】標準モード用シアン面積率検索処理を示したフローチャートである。
【図９】補正テーブル作成処理を示したフローチャートである。
【図１０】標準モード用シアン補正テーブル作成処理を示したフローチャートである。
【図１１】図１１（ａ）は、基準濃度パッチデータメモリの内容のうち、基準濃度パッチ名、基準濃度パッチの設定濃度および形成色を示した図であり、図１１（ｂ）は、基準濃度パッチデータメモリの内容のうち、基準濃度パッチの形成パターンを示した図である。
【図１２】搬送ベルトに形成された基準濃度パッチを模式的に示した図である。
【図１３】シアン測定濃度メモリの内容を示した図である。
【図１４】基準濃度パッチ面積率メモリの内容を示した図である。
【図１５】標準モード用シアンディザマトリクスメモリに記憶された標準モード用シアンディザマトリクスを模式的に示した図である。
【図１６】高品質モード用シアンディザマトリクスメモリに記憶された高品質モード用シアンディザマトリクスを模式的に示した図である。
【図１７】標準モード用対応濃度シアンデータメモリの内容を示した図である。
【図１８】標準モード用対応測定シアンデータメモリの内容を示した図である。
【図１９】図１９（ａ）は、標準モード用シアン補間データメモリの内容を示した図であり、図１９（ｂ）は、標準モード用シアン目標データメモリの内容を示した図であり、図１９（ｃ）は、標準モード用シアン補間データと標準モード用シアン目標データとをプロットしたグラフであり、図１９（ｄ）は、標準モード用シアン補正テーブルメモリの内容を示した図である。
【図２０】補正処理を示したフローチャートである。
【符号の説明】
【０３３０】
１        カラーレーザープリンタ（画像印刷装置）
４        画像形成装置（画像形成手段）
２４ａ    基準濃度パッチデータメモリ（基準濃度パッチデータ記憶手段）
２４ｂ    基準濃度パッチ面積率メモリ（パッチ面積率記憶手段）
２４ｃ    ディザマトリクスメモリ（ディザデータ記憶手段）
２４ｄ    補正テーブルメモリ（濃度補正手段）
２５ａ    対応濃度データメモリ（設定濃度記憶手段）
２５ｂ    測定濃度メモリ（測定濃度記憶手段）
２５ｅ    目標データメモリ（目標濃度記憶手段）
８０      濃度測定センサ（濃度測定手段の一部）
Ｓ１１    基準濃度パッチ測定処理（濃度測定手段の一部、画像形成工程、画像形成ステップ）
Ｓ１２    基準濃度パッチ測定処理（濃度測定工程、濃度測定ステップ）
Ｓ１３    基準濃度パッチ測定処理（測定濃度記憶工程、測定濃度記憶ステップ）
Ｓ３５    標準モード用シアン面積率検索処理（ディザ面積率算出手段）
Ｓ３８    標準モード用シアン面積率検索処理（補正制御手段の一部、設定濃度記憶工程、設定濃度記憶ステップ）
Ｓ６５    標準モード用シアン補正テーブル作成処理（補正制御手段の一部）
Ｓ７３    補正処理（補正制御手段、画像形成工程、濃度補正工程、補正制御工程、画像形成ステップ、濃度補正ステップ、補正制御ステップ）
【図１】
2008199132.tif 000003
【図２】
2008199132.tif 000004
【図３】
2008199132.tif 000005
【図４】
2008199132.tif 000006
【図５】
2008199132.tif 000007
【図６】
2008199132.tif 000008
【図７】
2008199132.tif 000009
【図８】
2008199132.tif 000010
【図９】
2008199132.tif 000011
【図１０】
2008199132.tif 000012
【図１１】
2008199132.tif 000013
【図１２】
2008199132.tif 000014
【図１３】
2008199132.tif 000015
【図１４】
2008199132.tif 000016
【図１５】
2008199132.tif 000017
【図１６】
2008199132.tif 000018
【図１７】
2008199132.tif 000019
【図１８】
2008199132.tif 000020
【図１９】
2008199132.tif 000021
【図２０】
2008199132.tif 000022